(57)【要約】本発明は、従来技術の限界と欠点を解決する、位置情報サービスを提供するための端末又はＵＥ、システム、及び方法を提供することを目的とする。本発明は、ＳＵＰＬサービスを提供するためのＷＬＡＮ端末、システム、及び方法に関する。本発明の一実施形態によれば、前記ＷＬＡＮ端末は、移動通信ネットワークとＷＬＡＮ間の連動により前記移動通信ネットワークとＩＰ接続を設定し、前記移動通信ネットワークの位置サーバからの前記ＷＬＡＮ端末の位置情報要求に対する応答として、前記ＩＰ接続により前記位置サーバとＳＵＰＬ手順を選択的に行うコントローラを含む。
2009501455.tif 000002
【特許請求の範囲】
【請求項１】
移動通信ネットワークとＷＬＡＮ（Ｗｉｒｅｌｅｓｓ  Ｌｏｃａｌ  Ａｒｅａ  Ｎｅｔｗｏｒｋ）間の連動により前記移動通信ネットワークとＩＰ接続を設定し、前記移動通信ネットワークの位置サーバからのＷＬＡＮ端末の位置情報要求に対する応答として、前記ＩＰ接続により前記位置サーバとＳＵＰＬ（Ｓｅｃｕｒｅ  Ｕｓｅｒ  Ｐｌａｎｅ  Ｌｏｃａｔｉｏｎ）手順を選択的に行うコントローラから構成されることを特徴とするＳＵＰＬサービスを提供するためのＷＬＡＮ端末。
【請求項２】
前記ＩＰ接続を設定するために、前記コントローラは、ＷＬＡＮアクセスネットワークにアクセスし、前記ＷＬＡＮアクセスネットワークを介して前記移動通信ネットワークの認証サーバと認証手順を行うことを特徴とする請求項１に記載のＳＵＰＬサービスを提供するためのＷＬＡＮ端末。
【請求項３】
前記認証手順がＥＡＰ（Ｅｘｔｅｎｓｉｂｌｅ  Ａｕｔｈｅｎｔｉｃａｔｉｏｎ  Ｐｒｏｔｏｃｏｌ）手順であることを特徴とする請求項２に記載のＳＵＰＬサービスを提供するためのＷＬＡＮ端末。
【請求項４】
前記コントローラは、前記認証手順中に、前記ＷＬＡＮアクセスネットワークを介して前記認証サーバに前記ＷＬＡＮ端末の位置情報を送信することを特徴とする請求項２に記載のＳＵＰＬサービスを提供するためのＷＬＡＮ端末。
【請求項５】
前記コントローラは、前記認証手順中に、前記ＷＬＡＮアクセスネットワークから前記ＷＬＡＮ端末が属するＷＬＡＮのアクセスポイントに関する位置情報を受信することを特徴とする請求項２に記載のＳＵＰＬサービスを提供するためのＷＬＡＮ端末。
【請求項６】
前記ＩＰ接続がＴＣＰ／ＩＰ接続もしくはＵＤＰ／ＩＰ接続であることを特徴とする請求項１に記載のＳＵＰＬサービスを提供するためのＷＬＡＮ端末。
【請求項７】
前記移動通信ネットワークが３ＧＰＰネットワークであり、前記位置サーバがＧＭＬＣ（Ｇａｔｅｗａｙ  Ｍｏｂｉｌｅ  Ｌｏｃａｔｉｏｎ  Ｃｅｎｔｅｒ）であることを特徴とする請求項１に記載のＳＵＰＬサービスを提供するためのＷＬＡＮ端末。
【請求項８】
前記コントローラは、ＳＵＰＬ手順に従って、前記ＩＰ接続により前記位置サーバからＳＵＰＬ初期化メッセージを受信し、前記位置サーバと連続的な位置手順メッセージを交換することを特徴とする請求項１に記載のＳＵＰＬサービスを提供するためのＷＬＡＮ端末。
【請求項９】
移動通信ネットワークの位置サーバからＳＵＰＬ（Ｓｅｃｕｒｅ  Ｕｓｅｒ  Ｐｌａｎｅ  Ｌｏｃａｔｉｏｎ）初期化メッセージを受信し、前記移動通信ネットワークとＷＬＡＮ（Ｗｉｒｅｌｅｓｓ  Ｌｏｃａｌ  Ａｒｅａ  Ｎｅｔｗｏｒｋ）間の連動により前記移動通信ネットワークとＩＰ接続を設定し、前記ＩＰ接続により前記位置サーバにＳＵＰＬ位置初期化メッセージを送信するコントローラから構成されることを特徴とするＳＵＰＬサービスを提供するためのＷＬＡＮ端末。
【請求項１０】
前記移動通信ネットワークとＷＬＡＮ間の連動の一部として、前記コントローラは、前記ＷＬＡＮのアクセスネットワークを介して前記移動通信ネットワークの認証サーバと認証手順を行うことを特徴とする請求項９に記載のＳＵＰＬサービスを提供するためのＷＬＡＮ端末。
【請求項１１】
前記認証手順がＥＡＰ（Ｅｘｔｅｎｓｉｂｌｅ  Ａｕｔｈｅｎｔｉｃａｔｉｏｎ  Ｐｒｏｔｏｃｏｌ）手順であることを特徴とする請求項１０に記載のＳＵＰＬサービスを提供するためのＷＬＡＮ端末。
【請求項１２】
前記コントローラは、前記認証手順中に、前記認証サーバに前記ＷＬＡＮ端末の位置情報を送信することを特徴とする請求項１０に記載のＳＵＰＬサービスを提供するためのＷＬＡＮ端末。
【請求項１３】
前記コントローラは、前記認証手順中に、前記ＷＬＡＮのアクセスネットワークから前記ＷＬＡＮ端末が属するＷＬＡＮのアクセスポイントに関する位置情報を受信することを特徴とする請求項１０に記載のＳＵＰＬサービスを提供するためのＷＬＡＮ端末。
【請求項１４】
前記ＩＰ接続がＴＣＰ／ＩＰ接続もしくはＵＤＰ／ＩＰ接続であることを特徴とする請求項９に記載のＳＵＰＬサービスを提供するためのＷＬＡＮ端末。
【請求項１５】
前記移動通信ネットワークが３ＧＰＰネットワークであり、前記位置サーバがＧＭＬＣ（Ｇａｔｅｗａｙ  Ｍｏｂｉｌｅ  Ｌｏｃａｔｉｏｎ  Ｃｅｎｔｅｒ）であることを特徴とする請求項９に記載のＳＵＰＬサービスを提供するためのＷＬＡＮ端末。
【請求項１６】
前記コントローラは、ＳＭＳ（Ｓｈｏｒｔ  Ｍｅｓｓａｇｅ  Ｓｅｒｖｉｃｅ）方式又はＷＡＰ（Ｗｉｒｅｌｅｓｓ  Ａｐｐｌｉｃａｔｉｏｎ  Ｐｒｏｔｏｃｏｌ）プッシュ方式により前記ＳＵＰＬ初期化メッセージを受信することを特徴とする請求項９に記載のＳＵＰＬサービスを提供するためのＷＬＡＮ端末。
【請求項１７】
ＷＬＡＮ（Ｗｉｒｅｌｅｓｓ  Ｌｏｃａｌ  Ａｒｅａ  Ｎｅｔｗｏｒｋ）端末が移動通信ネットワークとＷＬＡＮ間の連動により前記移動通信ネットワークとＩＰ接続を設定する段階と、
前記移動通信ネットワークの位置サーバからの前記ＷＬＡＮ端末の位置情報要求に対する応答として、前記ＩＰ接続により前記位置サーバとＳＵＰＬ（Ｓｅｃｕｒｅ  Ｕｓｅｒ  Ｐｌａｎｅ  Ｌｏｃａｔｉｏｎ）手順を選択的に行う段階と
から構成されることを特徴とするＷＬＡＮ端末を利用したＳＵＰＬサービス提供方法。
【請求項１８】
前記ＷＬＡＮ端末がＷＬＡＮアクセスネットワークにアクセスし、前記ＷＬＡＮアクセスネットワークを介して前記移動通信ネットワークの認証サーバと認証手順を行う段階をさらに含むことを特徴とする請求項１７に記載のＷＬＡＮ端末を利用したＳＵＰＬサービス提供方法。
【請求項１９】
前記認証手順がＥＡＰ（Ｅｘｔｅｎｓｉｂｌｅ  Ａｕｔｈｅｎｔｉｃａｔｉｏｎ  Ｐｒｏｔｏｃｏｌ）手順であることを特徴とする請求項１８に記載のＷＬＡＮ端末を利用したＳＵＰＬサービス提供方法。
【請求項２０】
前記認証手順を行う段階は、
前記ＷＬＡＮ端末が前記認証手順中に、前記ＷＬＡＮアクセスネットワークを介して前記認証サーバに前記ＷＬＡＮ端末の位置情報を送信する段階を含むことを特徴とする請求項１８に記載のＷＬＡＮ端末を利用したＳＵＰＬサービス提供方法。
【請求項２１】
前記認証手順を行う段階は、
前記ＷＬＡＮ端末が前記認証手順中に、前記ＷＬＡＮアクセスネットワークから前記ＷＬＡＮ端末が属するＷＬＡＮのアクセスポイントに関する位置情報を受信する段階をさらに含むことを特徴とする請求項１８に記載のＷＬＡＮ端末を利用したＳＵＰＬサービス提供方法。
【請求項２２】
前記設定する段階において、前記ＩＰ接続がＴＣＰ／ＩＰ接続もしくはＵＤＰ／ＩＰ接続であることを特徴とする請求項１７に記載のＷＬＡＮ端末を利用したＳＵＰＬサービス提供方法。
【請求項２３】
前記設定する段階において、前記移動通信ネットワークが３ＧＰＰネットワークであり、前記位置サーバがＧＭＬＣ（Ｇａｔｅｗａｙ  Ｍｏｂｉｌｅ  Ｌｏｃａｔｉｏｎ  Ｃｅｎｔｅｒ）であることを特徴とする請求項１７に記載のＷＬＡＮ端末を利用したＳＵＰＬサービス提供方法。
【請求項２４】
前記ＳＵＰＬ手順を選択的に行う段階は、
前記ＷＬＡＮが前記ＳＵＰＬ手順に従って、前記ＩＰ接続により前記位置サーバからＳＵＰＬ初期化メッセージを受信し、前記位置サーバと連続的な位置手順メッセージを交換する段階を含むことを特徴とする請求項１７に記載のＷＬＡＮ端末を利用したＳＵＰＬサービス提供方法。
【請求項２５】
ＷＬＡＮ（Ｗｉｒｅｌｅｓｓ  Ｌｏｃａｌ  Ａｒｅａ  Ｎｅｔｗｏｒｋ）端末が移動通信ネットワークの位置サーバからＳＵＰＬ（Ｓｅｃｕｒｅ  Ｕｓｅｒ  Ｐｌａｎｅ  Ｌｏｃａｔｉｏｎ）初期化メッセージを受信し、前記移動通信ネットワークとＷＬＡＮ間の連動により前記移動通信ネットワークとＩＰ接続を設定する段階と、
前記ＷＬＡＮ端末が前記ＩＰ接続により前記位置サーバにＳＵＰＬ位置初期化メッセージを送信する段階と
から構成されることを特徴とするＷＬＡＮ端末を利用したＳＵＰＬサービス提供方法。
【請求項２６】
前記移動通信ネットワークとＷＬＡＮ間の連動の一部として、
前記ＷＬＡＮのアクセスネットワークを介して前記移動通信ネットワークの認証サーバと認証手順を行う段階をさらに含むことを特徴とする請求項２５に記載のＷＬＡＮ端末を利用したＳＵＰＬサービス提供方法。
【請求項２７】
前記認証手順がＥＡＰ（Ｅｘｔｅｎｓｉｂｌｅ  Ａｕｔｈｅｎｔｉｃａｔｉｏｎ  Ｐｒｏｔｏｃｏｌ）手順であることを特徴とする請求項２６に記載のＷＬＡＮ端末を利用したＳＵＰＬサービス提供方法。
【請求項２８】
前記認証手順を行う段階は、
前記ＷＬＡＮ端末が前記認証手順中に、前記ＷＬＡＮのアクセスネットワークを介して前記認証サーバに前記ＷＬＡＮ端末の位置情報を送信する段階を含むことを特徴とする請求項２６に記載のＷＬＡＮ端末を利用したＳＵＰＬサービス提供方法。
【請求項２９】
前記認証手順を行う段階は、
前記ＷＬＡＮ端末が前記認証手順中に、前記ＷＬＡＮのアクセスネットワークから前記ＷＬＡＮ端末が属するＷＬＡＮのアクセスポイントに関する位置情報を受信する段階をさらに含むことを特徴とする請求項２８に記載のＷＬＡＮ端末を利用したＳＵＰＬサービス提供方法。
【請求項３０】
前記ＩＰ接続がＴＣＰ／ＩＰ接続もしくはＵＤＰ／ＩＰ接続であることを特徴とする請求項２５に記載のＷＬＡＮ端末を利用したＳＵＰＬサービス提供方法。
【請求項３１】
前記移動通信ネットワークが３ＧＰＰネットワークであり、前記位置サーバがＧＭＬＣ（Ｇａｔｅｗａｙ  Ｍｏｂｉｌｅ  Ｌｏｃａｔｉｏｎ  Ｃｅｎｔｅｒ）であることを特徴とする請求項２５に記載のＷＬＡＮ端末を利用したＳＵＰＬサービス提供方法。
【請求項３２】
前記受信する段階は、ＳＭＳ（Ｓｈｏｒｔ  Ｍｅｓｓａｇｅ  Ｓｅｒｖｉｃｅ）方式又はＷＡＰ（Ｗｉｒｅｌｅｓｓ  Ａｐｐｌｉｃａｔｉｏｎ  Ｐｒｏｔｏｃｏｌ）プッシュ方式により前記ＳＵＰＬ初期化メッセージを受信することを特徴とする請求項２５に記載のＷＬＡＮ端末を利用したＳＵＰＬサービス提供方法。
【請求項３３】
位置サーバが移動通信ネットワークとＷＬＡＮ（Ｗｉｒｅｌｅｓｓ  Ｌｏｃａｌ  Ａｒｅａ  Ｎｅｔｗｏｒｋ）間の連動によりＷＬＡＮ端末とＩＰ接続を設定する段階と、
前記ＷＬＡＮ端末の位置情報を要求するクライアントの要求に対する応答として、前記位置サーバが前記ＩＰ接続により前記ＷＬＡＮ端末とＳＵＰＬ（Ｓｅｃｕｒｅ  Ｕｓｅｒ  Ｐｌａｎｅ  Ｌｏｃａｔｉｏｎ）手順を選択的に行う段階と
から構成されることを特徴とする位置サーバを含む移動通信ネットワークを利用したＳＵＰＬサービス提供方法。
【請求項３４】
前記移動通信ネットワークの認証サーバが前記ＩＰ接続を設定する前に前記ＷＬＡＮ端末と認証手順を行う段階をさらに含むことを特徴とする請求項３３に記載の位置サーバを含む移動通信ネットワークを利用したＳＵＰＬサービス提供方法。
【請求項３５】
前記移動通信ネットワークのデータベースに前記ＷＬＡＮ端末に関する認証情報を保存する段階と、
前記認証手順のために、前記保存された認証情報を前記認証サーバに提供する段階と
をさらに含むことを特徴とする請求項３４に記載の位置サーバを含む移動通信ネットワークを利用したＳＵＰＬサービス提供方法。
【請求項３６】
前記認証手順を行った後、前記認証サーバが前記データベースに前記ＷＬＡＮ端末の能力情報及び前記認証サーバのアドレス情報を登録する段階をさらに含むことを特徴とする請求項３５に記載の位置サーバを含む移動通信ネットワークを利用したＳＵＰＬサービス提供方法。
【請求項３７】
前記認証サーバが前記データベースに端末位置関連情報を登録する段階をさらに含み、
前記端末位置関連情報は、前記認証手順中に前記ＷＬＡＮ端末が前記ＷＬＡＮアクセスネットワークを介して提供したＷＬＡＮ端末の位置情報、及び前記ＷＬＡＮ端末が属するＷＬＡＮのアクセスポイントに関する位置情報の少なくとも１つを含むことを特徴とする請求項３６に記載の位置サーバを含む移動通信ネットワークを利用したＳＵＰＬサービス提供方法。
【請求項３８】
前記位置サーバが前記クライアントの位置情報要求に対する応答として、前記データベースにサービングノードルーティング情報及び前記ＷＬＡＮ端末の能力情報を要求する段階と、
前記位置サーバが前記要求した情報を前記データベースから受信する段階と
をさらに含むことを特徴とする請求項３７に記載の位置サーバを含む移動通信ネットワークを利用したＳＵＰＬサービス提供方法。
【請求項３９】
前記位置サーバが受信したサービングノードルーティング情報は前記認証サーバのアドレス情報を含み、前記位置サーバが受信したＷＬＡＮ端末の能力情報は前記ＳＵＰＬ手順又は他の位置判断手順をサポートできる前記ＷＬＡＮ端末の能力に関する情報であることを特徴とする請求項３８に記載の位置サーバを含む移動通信ネットワークを利用したＳＵＰＬサービス提供方法。
【請求項４０】
前記位置サーバが受信したサービングノードルーティング情報は、前記データベースに登録されている端末位置関連情報をさらに含むことを特徴とする請求項３９に記載の位置サーバを含む移動通信ネットワークを利用したＳＵＰＬサービス提供方法。
【請求項４１】
前記位置サーバが前記受信したサービングノードルーティング情報に含まれる端末位置関連情報が前記クライアントの位置情報要求に含まれるＱｏＰ（Ｑｕａｌｉｔｙ  ｏｆ  Ｐｏｓｉｔｉｏｎ）要求を満たすか否かを判断する段階と、
前記位置サーバが前記判断の結果に基づいて、前記クライアントに前記ＷＬＡＮ端末の位置情報として前記端末位置関連情報を選択的に提供する段階と
をさらに含むことを特徴とする請求項４０に記載の位置サーバを含む移動通信ネットワークを利用したＳＵＰＬサービス提供方法。
【請求項４２】
前記選択的に提供する段階において、前記位置サーバは、前記受信した端末位置関連情報が前記ＱｏＰ要求を満たすと、前記ＳＵＰＬ手順を行うことなく、前記クライアントに前記ＷＬＡＮ端末の位置情報として前記端末位置関連情報を直接送信することを特徴とする請求項４１に記載の位置サーバを含む移動通信ネットワークを利用したＳＵＰＬサービス提供方法。
【請求項４３】
前記端末位置関連情報が前記ＱｏＰ要求を満たさないと、前記位置サーバが前記受信したサービングノードルーティング情報を部分的に利用して前記認証サーバにターゲット端末ルーティング情報を要求する段階をさらに含むことを特徴とする請求項４１に記載の位置サーバを含む移動通信ネットワークを利用したＳＵＰＬサービス提供方法。
【請求項４４】
前記位置サーバが前記認証サーバから前記ターゲット端末ルーティング情報を受信する段階をさらに含み、
前記ターゲット端末ルーティング情報は、（ａ）前記ＷＬＡＮ端末のＩＰアドレス情報、及び前記ＷＬＡＮ端末と前記位置サーバ間にＩＰ接続が設定されているか否かを示すＩＰ接続存在情報、又は（ｂ）前記ＷＬＡＮ端末のＩＰアドレス情報、前記ＷＬＡＮ端末と前記位置サーバ間にＩＰ接続が設定されているか否かを示すＩＰ接続存在情報、及び前記ＷＬＡＮ端末に関するＷ−ＡＰＮ情報を含むことを特徴とする請求項４３に記載の位置サーバを含む移動通信ネットワークを利用したＳＵＰＬサービス提供方法。
【請求項４５】
前記ＳＵＰＬ手順を行う段階は、
前記設定されたＩＰ接続により、前記受信したターゲット端末ルーティング情報を部分的に利用して前記ＷＬＡＮ端末と行われることを特徴とする請求項４４に記載の位置サーバを含む移動通信ネットワークを利用したＳＵＰＬサービス提供方法。
【請求項４６】
前記位置サーバが前記クライアントの位置情報要求に対する応答として、前記データベースにサービングノードルーティング情報及び前記ＷＬＡＮ端末の能力情報を要求する段階と、
前記位置サーバが前記要求した情報を前記データベースから受信する段階と
をさらに含むことを特徴とする請求項３６に記載の位置サーバを含む移動通信ネットワークを利用したＳＵＰＬサービス提供方法。
【請求項４７】
前記位置サーバが受信したサービングノードルーティング情報は前記認証サーバのアドレス情報を含み、前記位置サーバが受信したＷＬＡＮ端末の能力情報は前記ＳＵＰＬ手順又は他の位置判断手順をサポートできる前記ＷＬＡＮ端末の能力に関する情報であることを特徴とする請求項４６に記載の位置サーバを含む移動通信ネットワークを利用したＳＵＰＬサービス提供方法。
【請求項４８】
前記位置サーバが前記受信したサービングノードルーティング情報を部分的に利用して前記認証サーバにターゲット端末ルーティング情報を要求する段階をさらに含むことを特徴とする請求項４６に記載の位置サーバを含む移動通信ネットワークを利用したＳＵＰＬサービス提供方法。
【請求項４９】
前記位置サーバが前記認証サーバから前記ターゲット端末ルーティング情報を受信する段階をさらに含み、
前記ターゲット端末ルーティング情報は、（ａ）前記ＷＬＡＮ端末のＩＰアドレス情報、及び前記ＷＬＡＮ端末と前記位置サーバ間にＩＰ接続が設定されているか否かを示すＩＰ接続存在情報、又は（ｂ）前記ＷＬＡＮ端末のＩＰアドレス情報、前記ＷＬＡＮ端末と前記位置サーバ間にＩＰ接続が設定されているか否かを示すＩＰ接続存在情報、及び前記ＷＬＡＮ端末に関するＷ−ＡＰＮ情報を含むことを特徴とする請求項４８に記載の位置サーバを含む移動通信ネットワークを利用したＳＵＰＬサービス提供方法。
【請求項５０】
前記ＳＵＰＬ手順を行う段階は、
前記設定されたＩＰ接続により、前記受信したターゲット端末ルーティング情報を部分的に利用して前記ＷＬＡＮ端末と行われることを特徴とする請求項４９に記載の位置サーバを含む移動通信ネットワークを利用したＳＵＰＬサービス提供方法。
【請求項５１】
ＷＬＡＮ端末の位置情報を要求するクライアントの要求に対する応答として、位置サーバが前記ＷＬＡＮ（Ｗｉｒｅｌｅｓｓ  Ｌｏｃａｌ  Ａｒｅａ  Ｎｅｔｗｏｒｋ）端末にＳＵＰＬ（Ｓｅｃｕｒｅ  Ｕｓｅｒ  Ｐｌａｎｅ  Ｌｏｃａｔｉｏｎ）初期化メッセージを選択的に送信し、移動通信ネットワークとＷＬＡＮ間の連動により前記ＷＬＡＮ端末とＩＰ接続を設定する段階と、
前記位置サーバが前記ＩＰ接続により前記ＷＬＡＮ端末からＳＵＰＬ位置初期化メッセージを受信する段階と
から構成されることを特徴とする位置サーバを含む移動通信ネットワークを利用したＳＵＰＬサービス提供方法。
【請求項５２】
前記移動通信ネットワークの認証サーバが前記ＩＰ接続を設定する前に前記ＷＬＡＮ端末と認証手順を行う段階をさらに含むことを特徴とする請求項５１に記載の位置サーバを含む移動通信ネットワークを利用したＳＵＰＬサービス提供方法。
【請求項５３】
前記認証手順のために、前記移動通信ネットワークのデータベースが前記ＷＬＡＮ端末に関する予め保存された認証情報を前記認証サーバに提供する段階をさらに含むことを特徴とする請求項５２に記載の位置サーバを含む移動通信ネットワークを利用したＳＵＰＬサービス提供方法。
【請求項５４】
前記認証手順を行った後、前記認証サーバが前記データベースに前記ＷＬＡＮ端末の能力情報及び前記認証サーバのアドレス情報を登録する段階をさらに含むことを特徴とする請求項５３に記載の位置サーバを含む移動通信ネットワークを利用したＳＵＰＬサービス提供方法。
【請求項５５】
前記認証サーバが前記データベースに端末位置関連情報を登録する段階をさらに含み、
前記端末位置関連情報は、前記認証手順中に前記ＷＬＡＮ端末が前記ＷＬＡＮアクセスネットワークを介して提供したＷＬＡＮ端末の位置情報、及び前記ＷＬＡＮ端末が属するＷＬＡＮのアクセスポイントに関する位置情報の少なくとも１つを含むことを特徴とする請求項５４に記載の位置サーバを含む移動通信ネットワークを利用したＳＵＰＬサービス提供方法。
【請求項５６】
前記位置サーバが前記クライアントの位置情報要求に対する応答として、前記データベースにサービングノードルーティング情報及び前記ＷＬＡＮ端末の能力情報を要求する段階と、
前記位置サーバが前記要求した情報を前記データベースから受信する段階と
をさらに含むことを特徴とする請求項５５に記載の位置サーバを含む移動通信ネットワークを利用したＳＵＰＬサービス提供方法。
【請求項５７】
前記位置サーバが受信したサービングノードルーティング情報は前記認証サーバのアドレス情報を含み、前記位置サーバが受信したＷＬＡＮ端末の能力情報は前記ＳＵＰＬ手順又は他の位置判断手順をサポートできる前記ＷＬＡＮ端末の能力に関する情報であることを特徴とする請求項５６に記載の位置サーバを含む移動通信ネットワークを利用したＳＵＰＬサービス提供方法。
【請求項５８】
前記位置サーバが受信したサービングノードルーティング情報は、前記端末位置関連情報をさらに含むことを特徴とする請求項５７に記載の位置サーバを含む移動通信ネットワークを利用したＳＵＰＬサービス提供方法。
【請求項５９】
前記位置サーバが前記受信したサービングノードルーティング情報に含まれる端末位置関連情報が前記クライアントの位置情報要求に含まれるＱｏＰ要求を満たすか否かを判断する段階と、
前記位置サーバが前記判断の結果に基づいて、前記クライアントに前記ＷＬＡＮ端末の位置情報として前記端末位置関連情報を選択的に提供する段階と
をさらに含むことを特徴とする請求項５８に記載の位置サーバを含む移動通信ネットワークを利用したＳＵＰＬサービス提供方法。
【請求項６０】
前記選択的に提供する段階において、前記受信した端末位置関連情報が前記ＱｏＰ要求を満たすと、前記ＳＵＰＬ手順を行うことなく、前記クライアントに前記ＷＬＡＮ端末の位置情報として前記端末位置関連情報を直接送信することを特徴とする請求項５９に記載の位置サーバを含む移動通信ネットワークを利用したＳＵＰＬサービス提供方法。
【請求項６１】
前記端末位置関連情報が前記ＱｏＰ要求を満たさないと、前記位置サーバが前記受信したサービングノードルーティング情報を部分的に利用してターゲット端末ルーティング情報を要求する段階をさらに含むことを特徴とする請求項５９に記載の位置サーバを含む移動通信ネットワークを利用したＳＵＰＬサービス提供方法。
【請求項６２】
前記位置サーバが前記認証サーバから前記ターゲット端末ルーティング情報を受信する段階をさらに含み、
前記ターゲット端末ルーティング情報は、（ａ）前記ＷＬＡＮ端末のＩＰアドレス情報、及び前記ＷＬＡＮ端末と前記位置サーバ間にＩＰ接続が設定されているか否かを示すＩＰ接続存在情報、又は（ｂ）前記ＷＬＡＮ端末のＩＰアドレス情報、前記ＷＬＡＮ端末と前記位置サーバ間にＩＰ接続が設定されているか否かを示すＩＰ接続存在情報、及び前記ＷＬＡＮ端末に関するＷ−ＡＰＮ情報を含むことを特徴とする請求項６１に記載の位置サーバを含む移動通信ネットワークを利用したＳＵＰＬサービス提供方法。
【請求項６３】
前記選択的に送信する段階において、前記受信したターゲット端末ルーティング情報を部分的に利用して前記ＷＬＡＮ端末に前記ＳＵＰＬ初期化メッセージを送信することを特徴とする請求項６１に記載の位置サーバを含む移動通信ネットワークを利用したＳＵＰＬサービス提供方法。
【請求項６４】
前記位置サーバが前記クライアントの位置情報要求に対する応答として、前記データベースにサービングノードルーティング情報及び前記ＷＬＡＮ端末の能力情報を要求する段階と、
前記位置サーバが前記要求した情報を前記データベースから受信する段階と
をさらに含むことを特徴とする請求項５４に記載の位置サーバを含む移動通信ネットワークを利用したＳＵＰＬサービス提供方法。
【請求項６５】
前記位置サーバが受信したサービングノードルーティング情報は前記認証サーバのアドレス情報を含み、前記位置サーバが受信したＷＬＡＮ端末の能力情報は前記ＳＵＰＬ手順又は他の位置判断手順をサポートできる前記ＷＬＡＮ端末の能力に関する情報であることを特徴とする請求項６４に記載の位置サーバを含む移動通信ネットワークを利用したＳＵＰＬサービス提供方法。
【請求項６６】
前記位置サーバが前記受信したサービングノードルーティング情報を部分的に利用して前記認証サーバにターゲット端末ルーティング情報を要求する段階をさらに含むことを特徴とする請求項６４に記載の位置サーバを含む移動通信ネットワークを利用したＳＵＰＬサービス提供方法。
【請求項６７】
前記位置サーバが前記認証サーバから前記ターゲット端末ルーティング情報を受信する段階をさらに含み、
前記ターゲット端末ルーティング情報は、（ａ）前記ＷＬＡＮ端末のＩＰアドレス情報、及び前記ＷＬＡＮ端末と前記位置サーバ間にＩＰ接続が設定されているか否かを示すＩＰ接続存在情報、又は（ｂ）前記ＷＬＡＮ端末のＩＰアドレス情報、前記ＷＬＡＮ端末と前記位置サーバ間にＩＰ接続が設定されているか否かを示すＩＰ接続存在情報、及び前記ＷＬＡＮ端末に関するＷ−ＡＰＮ情報を含むことを特徴とする請求項６６に記載の位置サーバを含む移動通信ネットワークを利用したＳＵＰＬサービス提供方法。
【請求項６８】
前記選択的に送信する段階において、前記受信したターゲット端末ルーティング情報を部分的に利用して前記ＷＬＡＮ端末に前記ＳＵＰＬ初期化メッセージを送信することを特徴とする請求項６７に記載の位置サーバを含む移動通信ネットワークを利用したＳＵＰＬサービス提供方法。
【請求項６９】
アクセスポイント、記憶装置、及び位置サーバを含み、前記アクセスポイントを介してＷＬＡＮ（Ｗｉｒｅｌｅｓｓ  Ｌｏｃａｌ  Ａｒｅａ  Ｎｅｔｗｏｒｋ）端末と前記位置サーバ間にＩＰ接続が設定された移動通信ネットワークにおいて、
前記位置サーバがクライアントの位置情報要求に対する応答として、前記記憶装置にサービングノードルーティング情報を要求する段階と、
前記位置サーバが前記記憶装置から前記要求したサービングノードルーティング情報を受信する段階と、
前記位置サーバが前記受信したサービングノードルーティング情報を部分的に利用して認証サーバにターゲット端末ルーティング情報を要求する段階と、
前記位置サーバが前記認証サーバから前記ターゲット端末ルーティング情報を受信する段階と、
前記位置サーバが前記設定されたＩＰ接続により前記受信したターゲット端末ルーティング情報を部分的に利用して前記ＷＬＡＮ端末とＳＵＰＬ（Ｓｅｃｕｒｅ  Ｕｓｅｒ  Ｐｌａｎｅ  Ｌｏｃａｔｉｏｎ）手順を行って前記ＷＬＡＮ端末の位置情報を取得する段階と
から構成されることを特徴とする移動通信ネットワークとＷＬＡＮ間の連動によるＳＵＰＬサービス提供方法。
【請求項７０】
前記ターゲット端末ルーティング情報を受信する段階において、前記ターゲット端末ルーティング情報は、（ａ）前記ＷＬＡＮ端末のＩＰアドレス情報、及び前記ＷＬＡＮ端末と前記位置サーバ間にＩＰ接続が設定されているか否かを示すＩＰ接続存在情報、又は（ｂ）前記ＷＬＡＮ端末のＩＰアドレス情報、前記ＷＬＡＮ端末と前記位置サーバ間にＩＰ接続が設定されているか否かを示すＩＰ接続存在情報、及び前記ＷＬＡＮ端末に関するＷ−ＡＰＮ情報を含むことを特徴とする請求項６９に記載の移動通信ネットワークとＷＬＡＮ間の連動によるＳＵＰＬサービス提供方法。
【請求項７１】
前記位置サーバが、前記サービングノードルーティング情報を要求するとき、前記記憶装置に前記ＷＬＡＮ端末の能力情報を要求する段階と、
前記位置サーバが、前記要求したサービングノードルーティング情報を受信するとき、前記記憶装置から前記要求したＷＬＡＮ端末の能力情報を受信する段階と
をさらに含むことを特徴とする請求項６９に記載の移動通信ネットワークとＷＬＡＮ間の連動によるＳＵＰＬサービス提供方法。
【請求項７２】
アクセスポイント、記憶装置、及び位置サーバを含み、前記アクセスポイントを介してＷＬＡＮ（Ｗｉｒｅｌｅｓｓ  Ｌｏｃａｌ  Ａｒｅａ  Ｎｅｔｗｏｒｋ）端末と前記位置サーバ間にＩＰ接続が設定された移動通信ネットワークにおいて、
前記位置サーバがクライアントの位置情報要求に対する応答として、前記記憶装置にサービングノードルーティング情報を要求する段階と、
前記位置サーバが前記記憶装置から、前記記憶装置に登録されている認証サーバのアドレス情報及び端末位置関連情報を含む前記要求したサービングノードルーティング情報を受信する段階と、
前記位置サーバが前記受信した端末位置関連情報が前記クライアントの位置情報要求に含まれるＱｏＰ要求を満たすか否かを判断する段階と、
前記位置サーバが前記判断の結果に基づいて、前記クライアントに前記ＷＬＡＮ端末の位置情報として前記端末位置関連情報を選択的に提供する段階と、
前記端末位置関連情報が前記ＱｏＰ要求を満たさない場合、前記位置サーバが前記受信したサービングノードルーティング情報を部分的に利用してターゲット端末ルーティング情報を前記認証サーバに要求する段階と、
前記位置サーバが前記認証サーバから前記ターゲット端末ルーティング情報を受信する段階と、
前記位置サーバが前記設定されたＩＰ接続により前記受信したターゲット端末ルーティング情報を部分的に利用して前記ＷＬＡＮ端末とＳＵＰＬ（Ｓｅｃｕｒｅ  Ｕｓｅｒ  Ｐｌａｎｅ  Ｌｏｃａｔｉｏｎ）手順を行う段階と
から構成されることを特徴とする移動通信ネットワークとＷＬＡＮ間の連動によるＳＵＰＬサービス提供方法。
【請求項７３】
前記ターゲット端末ルーティング情報を受信する段階において、前記ターゲット端末ルーティング情報は、（ａ）前記ＷＬＡＮ端末のＩＰアドレス情報、及び前記ＷＬＡＮ端末と前記位置サーバ間にＩＰ接続が設定されているか否かを示すＩＰ接続存在情報、又は（ｂ）前記ＷＬＡＮ端末のＩＰアドレス情報、前記ＷＬＡＮ端末と前記位置サーバ間にＩＰ接続が設定されているか否かを示すＩＰ接続存在情報、及び前記ＷＬＡＮ端末に関するＷ−ＡＰＮ情報を含むことを特徴とする請求項７２に記載の移動通信ネットワークとＷＬＡＮ間の連動によるＳＵＰＬサービス提供方法。
【請求項７４】
前記選択的に提供する段階において、前記位置サーバは、前記受信した端末位置関連情報が前記ＱｏＰ要求を満たすと、前記ＳＵＰＬ手順を行うことなく、前記クライアントに前記ＷＬＡＮ端末の位置情報として前記端末位置関連情報を直接送信することを特徴とする請求項７２に記載の移動通信ネットワークとＷＬＡＮ間の連動によるＳＵＰＬサービス提供方法。
【請求項７５】
前記位置サーバが、前記サービングノードルーティング情報を要求するとき、前記記憶装置に前記ＷＬＡＮ端末の能力情報を要求する段階と、
前記位置サーバが、前記要求したサービングノードルーティング情報を受信するとき、前記記憶装置から前記要求したＷＬＡＮ端末の能力情報を受信する段階と
をさらに含むことを特徴とする請求項７２に記載の移動通信ネットワークとＷＬＡＮ間の連動によるＳＵＰＬサービス提供方法。
【発明の詳細な説明】
【技術分野】
【０００１】
本発明は位置情報システムに関し、特に、移動通信システムとＷＬＡＮ（Ｗｉｒｅｌｅｓｓ  Ｌｏｃａｌ  Ａｒｅａ  Ｎｅｔｗｏｒｋ）間の連動により位置情報サービスを提供するためのＵＥ（Ｕｓｅｒ  Ｅｑｕｉｐｍｅｎｔ）、システム、及び方法に関する。
【背景技術】
【０００２】
一般に、移動通信システムにおいては、端末の位置を計算するための関連機能部を移動通信ネットワークに備えて、周期的に又は要求に応じて前記計算された端末の位置を所定のエンティティに伝達する位置サービスを提供している。
【０００３】
前記位置サービスに関連するネットワーク構造は、３ＧＰＰネットワーク又は３ＧＰＰ２ネットワークなどの内部ネットワーク構造によって異なり、現在、移動端末の位置を計算する方法としては、移動端末が属するセルのＩＤを伝達するセルＩＤ方式、電波が移動端末から各基地局に到達するのに必要な時間を測定することにより三角測量を用いて移動端末の位置を計算する方法、ＧＰＳ（Ｇｌｏｂａｌ  Ｐｏｓｉｔｉｏｎｉｎｇ  Ｓｙｓｔｅｍ）を用いる方法などがある。
【０００４】
前記位置サービスをユーザに提供するために、移動端末と位置サーバ間で多くのシグナリングと位置情報が伝達される。近年、位置サービスを提供するためのポジショニング技術、すなわち移動端末の位置に基づいて提供される位置サービスの利用が増加している。このような技術は一般にユーザプレーン及び制御プレーンを介して提供されるが、このような技術の一つとして、ユーザプレーンを介して位置サービスを提供するＳＵＰＬ（Ｓｅｃｕｒｅ  Ｕｓｅｒ  Ｐｌａｎｅ  Ｌｏｃａｔｉｏｎ）技術がある。
【０００５】
移動端末の位置を計算するために要求される情報を効率的に伝達するために、前記ＳＵＰＬ技術は、移動端末とＳＵＰＬネットワーク間でポジショニング技術関連プロトコルを伝達するためにユーザプレーンデータベアラを使用する。
【０００６】
一般に、位置情報システムにおいて、位置サービスに関連するＳＵＰＬネットワークは、ＳＵＰＬエージェント、ＳＬＰ（ＳＵＰＬ  Ｌｏｃａｔｉｏｎ  Ｐｌａｔｆｏｒｍ）、及びＳＥＴ（ＳＵＰＬ  Ｅｎａｂｌｅｄ  Ｔｅｒｍｉｎａｌ）などを含む。前記ＳＵＰＬエージェントは、実際に測定された位置情報を使用するロジカルサービスアクセスポイント（Ａｃｃｅｓｓ  Ｐｏｉｎｔ；ＡＰ）であり、前記ＳＬＰは、位置情報を取得するためにネットワークリソースにアクセスするネットワーク部分のＳＵＰＬサービスアクセスポイント（ＡＰ）である。前記ＳＥＴは、ＳＵＰＬインタフェースを使用してＳＵＰＬネットワークと通信するデバイスであり、ＵＭＴＳのＵＥ、ＧＳＭのＭＳ（Ｍｏｂｉｌｅ  Ｓｔａｔｉｏｎ）、ＩＳ−９５のＭＳ、及びＳＥＴ機能を有するラップトップコンピュータ又はＰＤＡ（Ｐｅｒｓｏｎａｌ  Ｄｉｇｉｔａｌ  Ａｓｓｉｓｔａｎｔ）のいずれか１つである。
【０００７】
ユーザがもともと登録していたネットワークはホームネットワーク（Ｈｏｍｅ  Ｎｅｔｗｏｒｋ）といい、ユーザがホームネットワークから移動して位置するエリアのネットワークは訪問ネットワーク（Ｖｉｓｉｔｅｄ  Ｎｅｔｗｏｒｋ）という。前記ホームネットワーク内のＳＬＰはＨ−ＳＬＰ（Ｈｏｍｅ−ＳＬＰ）といい、前記訪問ネットワーク内のＳＬＰはＶ−ＳＬＰ（Ｖｉｓｉｔｅｄ−ＳＬＰ）という。前記ネットワークがＳＵＰＬ手順を開始すると外部クライアントにより最初に接続されるＳＬＰをＲ−ＳＬＰ（Ｒｅｑｕｅｓｔｉｎｇ−ＳＬＰ）といい、前記Ｒ−ＳＬＰは、論理エンティティであり、前記Ｈ−ＳＬＰと同一であることもあり、同一でないこともある。また、現在位置追跡を目標とするＳＥＴをターゲットＳＥＴという。
【０００８】
前記ＳＬＰは、ネットワークエレメントであり、ターゲットＳＥＴの実際の位置情報の計算を行うＳＰＣ（ＳＵＰＬ  Ｐｏｓｉｔｉｏｎｉｎｇ  Ｃｅｎｔｅｒ）と、位置情報の計算以外の追加機能を果たすＳＬＣ（ＳＵＰＬ  Ｌｏｃａｔｉｏｎ  Ｃｅｎｔｅｒ）とを含む。例えば、前記ＳＬＣはローミング及びリソース管理などの手順を実行及び／又はサポートする。
【０００９】
前記ＳＥＴは、前記ＳＬＣを介して前記ＳＰＣと通信して位置情報を計算するか（プロキシモード（Ｐｒｏｘｙ  Ｍｏｄｅ）の場合）、又は直接前記ＳＰＣと接続を開いて位置情報を計算する（ノンプロキシモード（Ｎｏｎ−Ｐｒｏｘｙ  Ｍｏｄｅ）の場合）。
【００１０】
図１はプロキシモードでローミングが行われていない場合、ネットワークが特定端末の位置情報を要求するときのＳＵＰＬベースの位置情報システムのＳＵＰＬ手順を示すフローチャートである。
【００１１】
図１に示すように、ＳＵＰＬベースの位置情報システムは、ＳＵＰＬエージェント１と、ＳＬＰ３と、ターゲットＳＥＴ５とを含む。ＳＬＰ３は位置サーバであり、ターゲットＳＥＴ５はターゲット端末である。
【００１２】
ＳＵＰＬエージェント１がＳＬＰ３にＭＬＰ（Ｍｏｂｉｌｅ  Ｌｏｃａｔｉｏｎ  Ｐｒｏｔｏｃｏｌ）  ＳＬＩＲ（Ｓｔａｎｄａｒｄ  Ｌｏｃａｔｉｏｎ  Ｉｍｍｅｄｉａｔｅ  Ｒｅｑｕｅｓｔ）メッセージを送信してターゲットＳＥＴ５の位置情報を要求すると（Ｓ１１）、ＳＬＰ３は、ターゲットＳＥＴ５がローミング中であるか否か、すなわちターゲットＳＥＴ５が現在異なる訪問ネットワークに属するか否かを確認し、かつターゲットＳＥＴ５がＳＵＰＬをサポートするか否かを確認する（Ｓ１２）。
【００１３】
ＳＬＰ３は、ターゲットＳＥＴ５にＳＵＰＬ初期化（ＳＵＰＬ  ＩＮＩＴ）メッセージを送信して、ターゲットＳＥＴ５とＳＵＰＬ手順を開始する（Ｓ１３）。ここで、前記ＳＵＰＬ初期化メッセージは、少なくともセッションＩＤ、ＳＬＰアドレス、及び用いる位置追跡方法などを含む。また、前記ＳＵＰＬ初期化メッセージには、ＳＬＰ３がターゲットＳＥＴ５のプライバシーを確認した後にユーザにターゲットＳＥＴの位置情報に関する通知を提供する必要がある場合に使用できるパラメータをも含むことができる。さらに、前記ＳＵＰＬ初期化メッセージには、ＳＬＰ３のモード（例えば、プロキシモード、ノンプロキシモードなど）を示すＳＬＰモードインジケータ（ＳＬＰモード）をも含むことができ、これは本出願の譲受人が所有する発明のコンセプトであり、係属中の米国特許明細書に含まれている。
【００１４】
前記ＳＵＰＬ初期化メッセージを受信したターゲットＳＥＴ５がどのネットワークにもデータ接続が開いていない場合、ターゲットＳＥＴ５は、３ＧＰＰ又は３ＧＰＰ２などのパケットデータネットワークからのデータ接続を要求する。
【００１５】
データ接続が完了すると（Ｓ１４）、ターゲットＳＥＴ５は、ＳＬＰ３にＳＵＰＬ位置初期化（ＳＵＰＬ  ＰＯＳ  ＩＮＩＴ）メッセージを送信して、ターゲットＳＥＴ５の位置情報を判断するための手順を開始する（Ｓ１５）。その後、ターゲットＳＥＴ５とＳＬＰ３とは、実際のポジショニング判断手順を行うための連続的なメッセージを交換し、ＳＬＰ３又はターゲットＳＥＴ５は、前記連続的なメッセージによりターゲットＳＥＴ５の現在の位置を計算する（Ｓ１６）。ここで、前記ＳＵＰＬ位置初期化（ＳＵＰＬ  ＰＯＳ  ＩＮＩＴ）メッセージは、少なくともセッションＩＤ、基地局ＩＤを示すＬＩＤ（Ｌｏｃａｔｉｏｎ  Ｉｄｅｎｔｉｆｉｅｒ）、及びターゲットＳＥＴの能力情報（Ｃａｐａｂｉｌｉｔｉｅｓ）を含む。ターゲットＳＥＴ５とＳＬＰ３間で交換されるメッセージは、セッションＩＤ、及びポジショニングに使用されるプロトコル（例えば、ＲＲＬＰ、ＲＲＣ、又はＴＩＡ−８０１）などを含むことができる。
【００１６】
ターゲットＳＥＴ５の位置が計算されると、ＳＬＰ３は、前記ＳＵＰＬ手順の終了を通知するために、ＳＵＰＬ終了（ＳＵＰＬ  ＥＮＤ）メッセージをターゲットＳＥＴ５に送信し（Ｓ１７）、ＭＬＰ  ＳＬＩＡ（Ｓｔａｎｄａｒｄ  Ｌｏｃａｔｉｏｎ  Ｉｍｍｅｄｉａｔｅ  Ａｎｓｗｅｒ）メッセージにより、前記計算されたターゲットＳＥＴ５の位置情報をＳＵＰＬエージェント１に送信する（Ｓ１８）。
【００１７】
最近、ＷＬＡＮを利用するインターネットサービスがますます一般的になるにつれて、ＷＬＡＮ端末のユーザが前記ＷＬＡＮをサポートしないエリアで移動通信ネットワークを介してＷＬＡＮネットワークに接続してインターネットサービスを受けることができるようにする技術に対する関心が増大している。このような技術を適用するためのネットワークを３ＧＰＰではＩ−ＷＬＡＮ（Ｉｎｔｅｒｗｏｒｋｉｎｇ−ＷＬＡＮ）といい、３ＧＰＰネットワーク（又は、他の移動通信ネットワーク）はＷＬＡＮとの連動により位置情報サービスを含む多様な付加サービスを提供しようとする。
【００１８】
しかし、従来のＷＬＡＮ及び３ＧＰＰネットワークを含む従来のシステムにおいては、位置情報サービス（例えば、ＳＵＰＬサービス）を提供するためのネットワーク構造及びプロトコルが存在しないため、ＷＬＡＮ端末は従来技術によっては３ＧＰＰネットワークを介して位置情報サービスを受信することができない。
【発明の開示】
【発明が解決しようとする課題】
【００１９】
そこで、本発明は、従来技術の限界と欠点を解決する、位置情報サービスを提供するための端末又はＵＥ、システム、及び方法を提供することを目的とする。
【００２０】
本発明の他の目的は、ＷＬＡＮと移動通信ネットワーク／システム間の連動によりＷＬＡＮ端末に位置情報サービスを提供するためのネットワーク構造及びプロトコルを定義できる、位置情報サービスを提供するためのＷＬＡＮ端末（ＵＥ）、システム、及び方法を提供することにある。
【００２１】
本発明のさらに他の目的は、ＷＬＡＮと移動通信ネットワーク間の連動により位置情報サービスを提供するためのＷＬＡＮ端末（ＵＥ）、システム、及び方法を提供することにある。ここで、前記移動通信ネットワークに接続した位置サーバが前記移動通信ネットワークに接続したクライアントから前記ＷＬＡＮ端末の位置情報要求を受信した場合、前記位置サーバは、位置サーバ及び前記移動通信ネットワークの所定のエンティティと、前記ＷＬＡＮと前記移動通信ネットワーク間の連動のためのエンティティ間の通信により、前記要求されたＷＬＡＮ端末の位置情報を前記クライアントに提供する。
【００２２】
本発明のさらに他の目的は、ＷＬＡＮと移動通信ネットワーク間の連動により位置情報サービスを提供するためのＷＬＡＮ端末（ＵＥ）、システム、及び方法を提供することにある。ここで、前記ＷＬＡＮ端末が前記移動通信ネットワークを介して認証及び登録手順を行うと、端末位置関連情報が保存され、クライアントが前記ＷＬＡＮ端末の位置情報の追跡を要求する場合、ＡＡＡ（Ａｕｔｈｅｎｔｉｃａｔｉｏｎ／Ａｕｔｈｏｒｉｚａｔｉｏｎ／Ａｃｃｏｕｎｔｉｎｇ）サーバ又はＨＳＳ（Ｈｏｍｅ  Ｓｕｂｓｃｒｉｂｅｒ  Ｓｅｒｖｅｒ）／ＨＬＲ（Ｈｏｍｅ  Ｌｏｃａｔｉｏｎ  Ｒｅｇｉｓｔｅｒ）から位置サーバが取得した前記端末位置関連情報が、前記クライアントから受信した位置追跡要求のＱｏＰ（Ｑｕａｌｉｔｙ  ｏｆ  Ｐｏｓｉｔｉｏｎ）を満たすと、前記位置サーバは、前記クライアントに前記ＷＬＡＮ端末の位置情報として前記取得した端末位置関連情報を提供できる。
【００２３】
本発明のさらに他の目的は、ＷＬＡＮ端末（ＵＥ）、システム、及び方法を提供することにある。ここで、クライアントがサービスを受信するためにネットワークに登録されている特定ＷＬＡＮ端末の位置情報を要求すると、前記ＷＬＡＮ端末が前記ネットワークから認証を受けて該ネットワークに接続したか否かを確認し、前記ネットワークから認証を受けて該ネットワークに接続した場合、ＳＵＰＬ手順により前記ＷＬＡＮ端末の位置情報を検出して前記クライアントに提供する。
【課題を解決するための手段】
【００２４】
少なくとも上記の目的及び他の目的を全体的に又は部分的に達成するために、本発明の一態様においては、位置サーバがクライアントから特定端末の位置追跡要求を受信する段階と、前記位置サーバが前記特定端末のルーティング情報を確認する段階と、前記端末とＰＤＧ（Ｐａｃｋｅｔ  Ｄａｔａ  Ｇａｔｅｗａｙ）間に接続が存在する場合、前記接続によりＳＵＰＬ  ＩＮＩＴメッセージを送信する段階とから構成される、位置サーバとクライアント間の端末位置情報サービス提供方法を提供する。
【００２５】
少なくともこのような利点を全体的に又は部分的に達成するために、本発明の他の態様においては、位置サーバがクライアントからＷＬＡＮ端末の位置追跡要求を受信する段階と、前記位置サーバがＨＳＳ／ＨＬＲから前記ＷＬＡＮ端末が属するサービングノードのルーティング情報を取得する段階と、前記位置サーバが前記サービングノードから前記ＷＬＡＮ端末のルーティング情報を取得する段階と、前記位置サーバが前記ＷＬＡＮ端末のルーティング情報に応じてＳＵＰＬ初期化メッセージ送信方法を決定し、前記ＳＵＰＬ初期化メッセージを送信する段階と、前記ＳＵＰＬ初期化メッセージを受信したＷＬＡＮ端末と前記位置サーバ間のＳＵＰＬ手順により、前記ＷＬＡＮ端末の位置情報を計算する段階と、前記位置サーバが前記計算されたＷＬＡＮ端末の位置情報を前記クライアントに提供する段階とから構成される、ＷＬＡＮと移動通信ネットワーク間の連動による位置情報サービス提供方法を提供する。
【００２６】
少なくともこのような利点を全体的に又は部分的に達成するために、本発明のさらに他の態様においては、位置サーバがクライアントからＷＬＡＮ端末の位置追跡要求を受信する段階と、前記位置サーバがＨＳＳ／ＨＬＲに前記ＷＬＡＮ端末が属するサービングノードのルーティング情報を要求する段階と、前記ＨＳＳ／ＨＬＲが前記サービングノードのルーティング情報を前記位置サーバに提供する段階と、前記位置サーバが前記サービングノードに前記ＷＬＡＮ端末のルーティング情報を要求する段階と、前記サービングノードが前記ＷＬＡＮ端末のルーティング情報を前記位置サーバに提供する段階と、前記ＷＬＡＮ端末のルーティング情報に含まれる、前記ＷＬＡＮ端末とＰＤＧ間のトンネルに関する情報を確認し、前記位置サーバが前記トンネルにより前記ＷＬＡＮ端末にＳＵＰＬ初期化メッセージを送信する段階とから構成される、ＷＬＡＮと移動通信ネットワーク間の連動による位置情報サービス提供方法を提供する。
【００２７】
少なくともこのような利点を全体的に又は部分的に達成するために、本発明のさらに他の態様においては、位置サーバがクライアントからＷＬＡＮ端末の位置追跡要求を受信する段階と、前記位置サーバがＨＳＳ／ＨＬＲに前記ＷＬＡＮ端末が属するサービングノードのルーティング情報を要求する段階と、前記ＨＳＳ／ＨＬＲが前記サービングノードのルーティング情報を前記位置サーバに提供する段階と、前記位置サーバが前記サービングノードに前記ＷＬＡＮ端末のルーティング情報を要求する段階と、前記サービングノードが前記ＷＬＡＮ端末のルーティング情報を前記位置サーバに提供する段階と、前記ＷＬＡＮ端末のためのＩＰアドレスが現在設定されていない場合、前記位置サーバがＳＵＰＬ初期化メッセージを前記ＷＬＡＮ端末に送信する段階とから構成される、ＷＬＡＮと移動通信ネットワーク間の連動による位置情報サービス提供方法を提供する。
【００２８】
少なくともこのような利点を全体的に又は部分的に達成するために、本発明のさらに他の態様においては、位置サーバがクライアントからＷＬＡＮ端末の位置追跡要求を受信する段階と、前記位置サーバがＨＳＳ／ＨＬＲから前記ＷＬＡＮ端末が属するサービングノードのルーティング情報を取得する段階と、前記取得したサービングノードのルーティング情報に含まれる端末位置関連情報がＱｏＰを満たす場合、前記位置サーバが前記端末位置関連情報を前記クライアントに提供する段階とから構成される、ＷＬＡＮと移動通信ネットワーク間の連動による位置情報サービス提供方法を提供する。
【００２９】
少なくともこのような利点を全体的に又は部分的に達成するために、本発明のさらに他の態様においては、ＷＬＡＮ端末がＷＬＡＮアクセスネットワーク（Ａｃｃｅｓｓ  Ｎｅｔｗｏｒｋ；ＡＮ）にアクセスする段階と、ＡＡＡサーバを介して認証が行われてＨＳＳ／ＨＬＲを介して登録が行われた場合、前記ＷＬＡＮ  ＡＮにより提供された端末位置関連情報を保存する段階と、前記ＷＬＡＮ端末がＰＤＧとパケットサービスのためのトンネルを設定する段階と、前記位置サーバがクライアントから前記ＷＬＡＮ端末の位置追跡要求を受信する段階と、前記位置サーバが前記ＨＳＳ／ＨＬＲから前記ＷＬＡＮ端末が属するサービングノードのルーティング情報を取得する段階と、前記取得したサービングノードのルーティング情報に含まれる端末位置関連情報が前記クライアントから受信した位置追跡要求のＱｏＰを満たす場合、前記位置サーバが前記端末位置関連情報を前記クライアントに提供する段階とから構成される、ＷＬＡＮと移動通信ネットワーク間の連動による位置情報サービス提供方法を提供する。
【００３０】
少なくともこのような利点を全体的に又は部分的に達成するために、本発明のさらに他の態様においては、ＷＬＡＮ端末がＷＬＡＮアクセスネットワーク（ＡＮ）にアクセスする段階と、ＡＡＡサーバを介して認証が行われてＨＳＳ／ＨＬＲを介して登録が行われた場合、前記ＷＬＡＮ  ＡＮにより提供された端末位置関連情報を保存する段階と、前記位置サーバがクライアントから前記ＷＬＡＮ端末の位置追跡要求を受信する段階と、前記位置サーバが前記ＨＳＳ／ＨＬＲから前記ＷＬＡＮ端末が属するサービングノードのルーティング情報を取得する段階と、前記取得したサービングノードのルーティング情報に含まれる端末位置関連情報が前記クライアントから受信した位置追跡要求のＱｏＰを満たす場合、前記位置サーバが前記端末位置関連情報を前記クライアントに提供する段階と、前記ＷＬＡＮ端末のルーティング情報に含まれる端末位置関連情報が前記ＱｏＰを満たさないか、又は前記位置サーバが前記ＷＬＡＮ端末とＳＵＰＬ手順を行おうとする場合、前記位置サーバがＳＭＳ（Ｓｈｏｒｔ  Ｍｅｓｓａｇｅ  Ｓｅｒｖｉｃｅ）方式、ＷＡＰ（Ｗｉｒｅｌｅｓｓ  Ａｐｐｌｉｃａｔｉｏｎ  Ｐｒｏｔｏｃｏｌ）プッシュ方式、又はＴＣＰ／ＩＰもしくはＵＤＰ／ＩＰ接続により、ＳＵＰＬ初期化メッセージを前記ＷＬＡＮ端末に送信する段階とから構成される、ＷＬＡＮと移動通信ネットワーク間の連動による位置情報サービス提供方法を提供する。
【００３１】
少なくともこのような利点を全体的に又は部分的に達成するために、本発明のさらに他の態様においては、位置サーバがクライアントからＷＬＡＮ端末に関する位置情報要求メッセージを受信する段階と、前記位置サーバが前記ＷＬＡＮ端末の位置情報に対するプライバシーを確認する段階と、前記位置サーバがＨＳＳ／ＨＬＲに前記ＷＬＡＮ端末に関する情報を要求するための端末情報要求メッセージを送信する段階と、前記ＨＳＳ／ＨＬＲが前記ＷＬＡＮ端末に関する情報が存在するか否かを確認する段階と、前記ＷＬＡＮ端末に関する情報が存在しない場合、前記ＨＳＳ／ＨＬＲが前記ＷＬＡＮ端末に関する情報を管理するＡＡＡサーバにユーザ情報要求メッセージを送信する段階と、前記ＨＳＳ／ＨＬＲが前記ＡＡＡサーバから前記ＷＬＡＮ端末に関する情報を含む端末情報確認メッセージを受信し、前記端末情報確認メッセージを前記位置サーバに送信する段階と、前記端末情報確認メッセージを受信した位置サーバが前記ＷＬＡＮ端末に関する情報により前記ＷＬＡＮ端末のＰＤＧ接続状態を確認し、前記ＷＬＡＮ端末が前記ＰＤＧに接続した場合、前記ＰＤＧに位置情報要求メッセージを送信する段階と、前記ＰＤＧから位置情報確認メッセージを受信した位置サーバが前記ＷＬＡＮ端末の位置を追跡する段階と、前記位置サーバが前記クライアントに前記ＷＬＡＮ端末の位置情報を送信する段階とから構成される、特定ＷＬＡＮ端末が特定サービスを受信するために３ＧＰＰネットワークのＰＤＧとトンネルを設定するシステムにおける位置情報サービス提供方法を提供する。
【００３２】
少なくともこのような利点を全体的に又は部分的に達成するために、本発明のさらに他の態様においては、位置サーバがクライアントからＷＬＡＮ端末に関する位置情報要求メッセージを受信する段階と、前記位置サーバが前記ＷＬＡＮ端末の位置情報に対するプライバシーを確認する段階と、前記位置サーバがＨＳＳ／ＨＬＲに前記ＷＬＡＮ端末に関する情報を要求するための端末情報要求メッセージを送信する段階と、前記ＨＳＳ／ＨＬＲが前記ＷＬＡＮ端末に関する情報が存在するか否かを確認する段階と、前記ＷＬＡＮ端末に関する情報が存在しない場合、前記ＨＳＳ／ＨＬＲが前記ＷＬＡＮ端末に関する情報を管理するＡＡＡサーバのアドレスを含む端末情報確認メッセージを前記位置サーバに送信する段階と、前記位置サーバが前記ＷＬＡＮ端末に関する情報を要求するための接続／非接続確認メッセージを前記ＡＡＡサーバに送信する段階と、前記位置サーバが前記ＡＡＡサーバから前記ＷＬＡＮ端末に関する情報を含む接続／非接続確認メッセージを受信する段階と、前記位置サーバが前記ＷＬＡＮ端末に関する情報に基づいて前記ＷＬＡＮ端末のＰＤＧ接続状態を確認して該当ＰＤＧとの接続が存在する場合、位置情報要求メッセージを前記ＰＤＧに送信する段階と、前記ＰＤＧから位置情報確認メッセージを受信した位置サーバが前記ＷＬＡＮ端末の位置を追跡する段階と、前記位置サーバが前記クライアントに前記ＷＬＡＮ端末の位置情報を送信する段階とから構成される、特定ＷＬＡＮ端末が特定サービスを受信するために３ＧＰＰネットワークのＰＤＧとトンネルを設定するシステムにおける位置情報サービス提供方法を提供する。
【００３３】
本発明のさらに他の態様においては、移動通信ネットワークとＷＬＡＮ間の連動により前記移動通信ネットワークとＩＰ接続を設定し、前記移動通信ネットワークの位置サーバからのＷＬＡＮ端末の位置情報要求に対する応答として、前記ＩＰ接続により前記位置サーバとＳＵＰＬ手順を選択的に行うコントローラから構成される、ＳＵＰＬサービスを提供するためのＷＬＡＮ端末を提供する。
【００３４】
本発明のさらに他の態様においては、移動通信ネットワークの位置サーバからＳＵＰＬ初期化メッセージを受信し、前記移動通信ネットワークとＷＬＡＮ間の連動により前記移動通信ネットワークとＩＰ接続を設定し、前記ＩＰ接続により前記位置サーバにＳＵＰＬ位置初期化メッセージを送信するコントローラから構成される、ＳＵＰＬサービスを提供するためのＷＬＡＮ端末を提供する。
【００３５】
本発明のさらに他の態様においては、移動通信ネットワークとＷＬＡＮ間の連動によりＷＬＡＮ端末とのＩＰ接続を設定し、前記ＷＬＡＮ端末の位置情報を要求するクライアントの要求に対する応答として、前記ＩＰ接続により前記ＷＬＡＮ端末とＳＵＰＬ手順を選択的に行う位置サーバから構成される、ＳＵＰＬサービスを提供するための移動通信ネットワークを提供する。
【００３６】
本発明のさらに他の態様においては、ＷＬＡＮ端末の位置情報を要求するクライアントの要求に対する応答として、前記ＷＬＡＮ端末にＳＵＰＬ初期化メッセージを選択的に送信し、移動通信ネットワークとＷＬＡＮ間の連動により前記ＷＬＡＮ端末とＩＰ接続を設定し、前記ＩＰ接続により前記ＷＬＡＮ端末からＳＵＰＬ位置初期化メッセージを受信する位置サーバから構成される、ＳＵＰＬサービスを提供するための移動通信ネットワークを提供する。
【００３７】
本発明のさらに他の態様においては、ＷＬＡＮ端末が移動通信ネットワークとＷＬＡＮ間の連動により前記移動通信ネットワークとＩＰ接続を設定する段階と、前記移動通信ネットワークの位置サーバからの前記ＷＬＡＮ端末の位置情報要求に対する応答として、前記ＩＰ接続により前記位置サーバとＳＵＰＬ手順を選択的に行う段階とから構成される、ＷＬＡＮ端末を利用したＳＵＰＬサービス提供方法を提供する。
【００３８】
本発明のさらに他の態様においては、ＷＬＡＮ端末が移動通信ネットワークの位置サーバからＳＵＰＬ初期化メッセージを受信し、前記移動通信ネットワークとＷＬＡＮ間の連動により前記移動通信ネットワークとＩＰ接続を設定する段階と、前記ＷＬＡＮ端末が前記ＩＰ接続により前記位置サーバにＳＵＰＬ位置初期化メッセージを送信する段階とから構成される、ＷＬＡＮ端末を利用したＳＵＰＬサービス提供方法を提供する。
【００３９】
本発明のさらに他の態様においては、位置サーバが移動通信ネットワークとＷＬＡＮ間の連動によりＷＬＡＮ端末とＩＰ接続を設定する段階と、前記ＷＬＡＮ端末の位置情報を要求するクライアントの要求に対する応答として、前記位置サーバが前記ＩＰ接続により前記ＷＬＡＮ端末とＳＵＰＬ手順を選択的に行う段階とから構成される、位置サーバを含む移動通信ネットワークを利用したＳＵＰＬサービス提供方法を提供する。
【００４０】
本発明のさらに他の態様においては、ＷＬＡＮ端末の位置情報を要求するクライアントの要求に対する応答として、位置サーバが前記ＷＬＡＮ端末にＳＵＰＬ初期化メッセージを選択的に送信し、移動通信ネットワークとＷＬＡＮ間の連動により前記ＷＬＡＮ端末とＩＰ接続を設定する段階と、前記位置サーバが前記ＩＰ接続により前記ＷＬＡＮ端末からＳＵＰＬ位置初期化メッセージを受信する段階とから構成される、位置サーバを含む移動通信ネットワークを利用したＳＵＰＬサービス提供方法を提供する。
【００４１】
本発明のさらに他の態様においては、アクセスポイント、記憶装置、及び位置サーバを含み、前記アクセスポイントを介してＷＬＡＮ端末と前記位置サーバ間にＩＰ接続が設定された移動通信ネットワークにおいて、前記位置サーバがクライアントの位置情報要求に対する応答として、前記記憶装置にサービングノードルーティング情報及び前記ＷＬＡＮ端末の能力情報を要求する段階と、前記位置サーバが前記記憶装置から前記要求したサービングノードルーティング情報及び能力情報を受信する段階と、前記位置サーバが前記受信したサービングノードルーティング情報を部分的に利用して認証サーバにターゲット端末ルーティング情報を要求する段階と、前記位置サーバが前記認証サーバから前記ターゲット端末ルーティング情報を受信する段階と、前記位置サーバが前記設定されたＩＰ接続により前記受信したターゲット端末ルーティング情報を部分的に利用して前記ＷＬＡＮ端末とＳＵＰＬ手順を行って前記ＷＬＡＮ端末の位置情報を取得する段階とから構成される、移動通信ネットワークとＷＬＡＮ間の連動によるＳＵＰＬサービス提供方法を提供する。
【００４２】
本発明のさらに他の態様においては、アクセスポイント、記憶装置、及び位置サーバを含み、前記アクセスポイントを介してＷＬＡＮ端末と前記位置サーバ間にＩＰ接続が設定された移動通信ネットワークにおいて、前記位置サーバがクライアントの位置情報要求に対する応答として、前記記憶装置にサービングノードルーティング情報及び前記ＷＬＡＮ端末の能力情報を要求する段階と、前記位置サーバが前記記憶装置から、前記要求した情報、すなわち前記記憶装置に登録されている認証サーバのアドレス情報及び端末位置関連情報を含む前記サービングノードルーティング情報及び前記能力情報を受信する段階と、前記位置サーバが前記受信した端末位置関連情報が前記クライアントの位置情報要求に含まれるＱｏＰ要求を満たすか否かを判断する段階と、前記位置サーバが前記判断の結果に基づいて、前記クライアントに前記ＷＬＡＮ端末の位置情報として前記端末位置関連情報を選択的に提供する段階と、前記端末位置関連情報が前記ＱｏＰ要求を満たさない場合、前記位置サーバが前記受信したサービングノードルーティング情報を部分的に利用してターゲット端末ルーティング情報を前記認証サーバに要求する段階と、前記位置サーバが前記認証サーバから前記ターゲット端末ルーティング情報を受信する段階と、前記位置サーバが前記設定されたＩＰ接続により前記受信したターゲット端末ルーティング情報を部分的に利用して前記ＷＬＡＮ端末とＳＵＰＬ手順を行う段階とから構成される、移動通信ネットワークとＷＬＡＮ間の連動によるＳＵＰＬサービス提供方法を提供する。
【００４３】
本発明の付加的な利点、目的、及び特性は、部分的には後述する発明の詳細な説明に開示され、部分的には本技術分野における通常の知識を有する者であれば下記の説明により明らかになるか、本発明の実施により理解されるであろう。本発明の目的及び利点は、特に、添付の特許請求の範囲に開示されたように実現される。
【発明を実施するための最良の形態】
【００４４】
本発明は、ＷＬＡＮ端末（ＵＥ）が移動通信ネットワークを介して位置情報サービスを受信するようにするためのネットワーク構造及びプロトコルを提供し、関連コールフローを提供する。特に、本発明は、移動通信ネットワークの位置サーバがクライアントからＷＬＡＮ端末の位置要求を受信すると、前記位置サーバが前記移動通信ネットワークの特定エンティティ及びＷＬＡＮと前記移動通信ネットワーク間の連動を可能にするエンティティと通信を行って、前記クライアントに前記ＷＬＡＮ端末の位置情報を提供する方法及びシステムを提供する。
【００４５】
本発明は、ＷＬＡＮと移動通信システム／ネットワーク間の連動によるサービスに対して、ＳＵＰＬ、すなわち位置サーバと移動端末（ＵＥ）間のＴＣＰ／ＩＰもしくはＵＤＰ／ＩＰ接続によりユーザ位置情報サービスを提供するためのプロトコルを適用することにより、前記ＷＬＡＮ端末のユーザが前記移動通信ネットワークを介して前記位置情報サービスを受信できるようにする。
【００４６】
図２は本発明の一実施形態によるＷＬＡＮと移動通信ネットワーク間の連動により位置情報サービスを提供するシステムの構成を示す概念図である。
【００４７】
図２に示すように、本発明による位置情報サービス提供システムは、ＷＬＡＮ端末１０、３ＧＰＰネットワーク（Ｐｕｂｌｉｃ  Ｌａｎｄ  Ｍｏｂｉｌｅ  Ｎｅｔｗｏｒｋ；ＰＬＭＮ）などの移動通信ネットワーク３０、移動通信ネットワーク３０との連動のためにＷＬＡＮ端末１０をＷＬＡＮに接続させるＷＬＡＮアクセスネットワーク（ＷＬＡＮ  ＡＮ）１１、及び移動通信ネットワーク３０に接続されてＷＬＡＮ端末１０の位置情報を要求し、かつ／又は取得した前記位置情報を利用するクライアント４０を含む。ＷＬＡＮ端末１０は、コントローラ／プロセッサ１０ａ、及び従来のＷＬＡＮ端末などにおいてよく知られている他の構成要素を含む。図２のシステムの全ての構成要素は効果的に結合されて構成される。
【００４８】
移動通信ネットワーク３０は、ＷＬＡＮとの連動により該当端末とＳＵＰＬ手順を行って要求された位置情報を計算し、前記計算した位置情報をクライアント４０に提供する位置サーバを含む。例えば、移動通信ネットワーク３０は３ＧＰＰネットワークであるが、３ＧＰＰ２ネットワークなどの他のネットワークでもよい。３ＧＰＰ又は３ＧＰＰ２ネットワークなどの移動通信ネットワーク３０は、前記位置サーバとしての役割を果たすＧＭＬＣ（Ｇａｔｅｗａｙ  Ｍｏｂｉｌｅ  Ｌｏｃａｔｉｏｎ  Ｃｅｎｔｅｒ）３１と、移動通信ホームネットワーク内に存在して認証、許可、及びアカウンティングなどの機能を実行するＡＡＡサーバ３２と、各ユーザのユーザ情報及びＡＡＡサーバアドレスを管理するＨＳＳ／ＨＬＲ３３と、前記位置サーバ（ＧＭＬＣ）３１に接続して前記位置情報に関するユーザのプライバシー情報を保存するＰＰＲ（Ｐｒｉｖａｃｙ  Ｐｒｏｆｉｌｅ  Ｒｅｇｉｓｔｅｒ）３４と、時間及び使用量に応じてＷＬＡＮ端末１０が使用したＷＬＡＮサービスの使用料をリアルタイムに徴収するＯＣＳ（Ｏｎｌｉｎｅ  Ｃｈａｒｇｉｎｇ  Ｓｙｓｔｅｍ）３５と、ＷＬＡＮ  ＡＮ１１とＡＡＡサーバ３２とを接続させるＷＡＧ（ＷＬＡＮ  Ａｃｃｅｓｓ  Ｇａｔｅｗａｙ）２０と、移動通信のパケット交換サービスを提供するためのパケット交換ネットワークをＷＬＡＮ端末１０に接続させるアクセスポイント（ＡＰ；ＰＤＧ）２１とを含む。ＨＳＳ／ＨＬＲ３３は記憶装置又はデータベースをも意味する。
【００４９】
図３は本発明の第１実施形態によるＷＬＡＮと移動通信ネットワーク間の連動により位置情報サービスを提供する方法を示すフローチャートである。図３の方法は、一例として図２のシステムで実現されると記述しているが、他の適切な装置／システムでも実現できる。ＷＬＡＮ端末１０が行う過程は、ＷＬＡＮ端末１０のコントローラ１０ａにより実行及び／又は制御できる。
【００５０】
図３に示すように、ＷＬＡＮ端末１０は現在接続可能な適切なＷＬＡＮ  ＡＮ１１を選択してＷＬＡＮ  ＡＮ１１との接続を試みる。ＷＬＡＮ端末１０がＷＬＡＮ  ＡＮ１１に接続すると（Ｓ２１）、ＷＬＡＮ  ＡＮ１１は、移動通信ネットワーク３０のＡＡＡサーバ３２との通信により、ＷＬＡＮ端末１０とＷＬＡＮ  ＡＮ１１間の相互認証手順を行う。この場合、ＥＡＰ（Ｅｘｔｅｎｓｉｂｌｅ  Ａｕｔｈｅｎｔｉｃａｔｉｏｎ  Ｐｒｏｔｏｃｏｌ）を使用してＥＡＰ認証手順が行われるが、他のタイプの認証手順を用いることもできる。前記ＥＡＰ認証手順のためのＥＡＰパケットは、ＷＬＡＮ  ＡＮ１１を介して移動通信ネットワーク３０のＡＡＡサーバ３２に伝達される。この場合、ＷＬＡＮ  ＡＮ１１は、ＡＡＡサーバ３２に接続するために、ＡＡＡプロキシサーバを通過することができる。ＷＬＡＮ端末１０とＡＡＡサーバ３２間の相互認証手順を行うために、ＡＡＡサーバ３２は、ＨＳＳ／ＨＬＲ３３に接続して通信を行って、ＨＳＳ／ＨＬＲ３３から認証情報をフェッチすることができる。前記認証情報は、ＷＬＡＮ端末１０を認証するためにＡＡＡサーバ３２が予め登録した認証ベクトルを含み、さらに、前記認証ベクトルは、ＷＬＡＮ端末１０に関するキー情報を含むことができる。一般に、ＨＳＳ／ＨＬＲ３３は、内部に登録されている各ＷＬＡＮ端末に関するキー又は認証情報を保存する。
【００５１】
また、ＡＡＡサーバ３２は、ＨＳＳ／ＨＬＲ３３に接続して、ＨＳＳ／ＨＬＲ３３からＷＬＡＮ端末１０の加入情報を受信することができる。前記加入情報は、認証情報、ＷＬＡＮ端末１０の永久ＩＤ（すなわち、ＩＭＳＩ（Ｉｎｔｅｒｎａｔｉｏｎａｌ  Ｍｏｂｉｌｅ  Ｓｔａｔｉｏｎ／ｓｕｂｓｃｒｉｂｅｒ  Ｉｄｅｎｔｉｔｙ））、及びＷＬＡＮ端末１０の能力を含む（Ｓ２２）。
【００５２】
ＡＡＡサーバ３２は、ＨＳＳ／ＨＬＲ３３と連動することにより、ＷＬＡＮ端末情報、例えばＷＬＡＮ端末１０の永久ＩＤを登録する。この場合、ＡＡＡサーバ３２は、ＷＬＡＮ端末１０により認証手順を経たＡＡＡサーバ３２のアドレスをＨＳＳ／ＨＬＲ３３に登録する（Ｓ２３）。
【００５３】
ＷＬＡＮ端末１０は、移動通信ネットワーク３０のＡＡＡサーバ３２により認証され、移動通信ネットワーク３０のＨＳＳ／ＨＬＲ３３により登録された後、移動通信パケットサービスを受信するために、ＤＮＳクエリー（Ｄｏｍａｉｎ  Ｎａｍｅ  Ｓｙｓｔｅｍ  ｑｕｅｒｙ）によりＰＤＧ（アクセスポイント）２１のアクセス情報（例えば、ＩＰアドレスなど）を取得できる（Ｓ２４）。
【００５４】
ＷＬＡＮ端末１０は、前記ＤＮＳクエリーにより取得したアクセスポイントのアクセス情報から１つを選択し、前記選択したアクセスポイント（ＰＤＧ）２１とのパケットサービスをサポートするために、ＰＤＧ２１とのトンネル、すなわちＴＣＰ／ＩＰもしくはＵＤＰ／ＩＰ接続などのＩＰ接続を形成する（Ｓ２５）。前記アクセスポイントの選択時、ＷＬＡＮ端末１０は、ＷＬＡＮ端末１０のＩＰアドレスと類似したタイプのアドレス（例えば、ＩＰｖ４又はＩＰｖ６）を有するアクセスポイントを選択する。
【００５５】
前記トンネル形成過程の実行後又は実行中に、クライアント４０は、ターゲット端末の位置情報を提供するサービスを要求する（Ｓ２６）。すなわち、クライアント４０は、ターゲット端末（例えば、ＷＬＡＮ端末１０）の位置情報を要求するための位置情報サービス（Ｌｏｃａｔｉｏｎ  Ｉｎｆｏｒｍａｔｉｏｎ  Ｓｅｒｖｉｃｅ；ＬＣＳ）要求を生成し、位置サーバ（ＧＭＬＣ）３１に送信する。
【００５６】
前記ターゲット端末（ＷＬＡＮ端末１０）が属するサービングノードに関する情報、すなわち前記ＡＡＡサーバに関する情報（例えば、アドレス）を取得するために、位置サーバ３１は、サービングノードルーティング情報及び端末能力をＨＳＳ／ＨＬＲ３３に要求する（Ｓ２７）。この場合、前記ターゲット端末の能力情報とは、前記ターゲット端末がＳＵＰＬをサポートするか否か、及び／又は前記ターゲット端末が既存の移動通信ネットワークに定義された位置追跡手順をサポートするか否かなどの位置追跡に関するターゲット端末の能力情報を意味する。位置サーバ３１は、ＨＳＳ／ＨＬＲ３３に接続する前にＰＰＲ３４に接続して、ＷＬＡＮ端末１０などのターゲット端末の予め登録された位置追跡サービス情報及びプライバシー情報を確認することができる。この場合、ＷＬＡＮ端末１０は、前記位置追跡サービスに関するＷＬＡＮ端末１０のプライバシー情報をＰＰＲ３４に予め登録することができ、ＰＰＲ３４が前記プライバシー情報を確認した後にクライアント４０が要求した前記位置追跡サービスを許可すると、位置サーバ３１は段階Ｓ２７を行うことができる。
【００５７】
段階Ｓ２７での要求に対する応答として、ＨＳＳ／ＨＬＲ３３は、ＷＬＡＮ端末１０のサービングノードルーティング情報（ＡＡＡサーバ３２のアドレスなど）及び前記ターゲット端末（ＷＬＡＮ端末１０）の能力情報を、サービングノードルーティング情報確認メッセージにより位置サーバ３１に伝達する（Ｓ２８）。
【００５８】
この場合、前記ターゲット端末の能力情報は、端末位置追跡方法を選択するための情報を含む。前記ターゲット端末の能力情報は、前記ターゲット端末がＳＵＰＬをサポートするか否かを判断するか、又は３ＧＰＰもしくは特定通信ネットワークがサポートできるポジショニング方法を決定するために利用することができる。
【００５９】
ＷＬＡＮ端末１０（ターゲット端末）がＳＵＰＬをサポートする場合、位置サーバ（ＧＭＬＣ）３１は、ＨＳＳ／ＨＬＲ３３から受信したＡＡＡサーバ３２のアドレスを利用してＡＡＡサーバ３２に接続し、ＡＡＡサーバ３２にＷＬＡＮ端末１０のルーティング情報を要求する。ＷＬＡＮ端末１０のルーティング情報（すなわち、ターゲット端末ルーティング情報）は、少なくとも（ｉ）ＷＬＡＮ端末１０のＩＰアドレス、及び（ｉｉ）ＷＬＡＮ端末１０とトンネルが設定されたアクセスポイントに関する情報を含む。前記情報（ｉｉ）は、例えば、前記段階Ｓ２５により、ＷＬＡＮ端末１０とＰＤＧ（ＡＰ）２１間にトンネルが設定されたか否かを示すことができる。別の方法として、ＷＬＡＮ端末１０のルーティング情報は、少なくとも（ｉ）ＷＬＡＮ端末１０のＩＰアドレス、（ｉｉ）ＷＬＡＮ端末１０とトンネルが設定されたアクセスポイント（ＰＤＧ）に関する情報、及び（ｉｉｉ）ＷＬＡＮ端末１０の現在設定されているＷ−ＡＰＮ（Ｗｉｒｅｌｅｓｓ  Ａｃｃｅｓｓ  Ｐｏｉｎｔ  Ｎａｍｅ）に関する情報を含む。前記Ｗ−ＡＰＮ情報（ｉｉｉ）は、ＡＰ（ＰＤＧ）２１を介してＷＬＡＮ端末１０に接続した外部ＩＰネットワークのＩＤを示すＷ−ＡＰＮネットワーク識別子（ＮＩ）、及びＷＬＡＮ端末１０が接続した移動通信ネットワーク３０のＩＤを示すＷ−ＡＰＮオペレータ識別子（ＯＩ）を含み、この情報は必要時に利用できる。以下、前記情報（ｉｉ）をトンネル情報ともいう。
【００６０】
段階Ｓ２９での要求に対する応答として、ＡＡＡサーバ３２は、前記要求されたターゲット端末（すなわち、ＷＬＡＮ端末１０）のルーティング情報を位置サーバ３１に送信する（Ｓ３０）。
【００６１】
位置サーバ３１は、ＳＵＰＬ初期化（ＳＵＰＬ  ＩＮＩＴ）メッセージを生成し、前記受信したＷＬＡＮ端末１０のルーティング情報を利用して前記ＳＵＰＬ初期化（ＳＵＰＬ  ＩＮＩＴ）メッセージをＷＬＡＮ端末１０に送信することにより、ＳＵＰＬ手順を開始する。この場合、位置サーバ３１は、前記ターゲット端末ルーティング情報のトンネル情報に基づいて、ＷＬＡＮ端末１０とＡＰ２１間に既にトンネルが設定されていると判断した後、前記設定されたトンネル、すなわちＴＣＰ／ＩＰもしくはＵＤＰ／ＩＰ接続により、前記ＳＵＰＬ初期化メッセージをＷＬＡＮ端末１０に送信する。その後、前記設定されたトンネルによりＷＬＡＮ端末１０の位置を追跡するためのＳＵＰＬ手順が継続して行われる（Ｓ３１）。ＷＬＡＮ端末１０の位置情報が例えば前記位置サーバ又はＷＬＡＮ端末１０により計算されると、位置サーバ３１は、前記ＳＵＰＬ手順を終了し、例えばＬＣＳ応答メッセージにより、前記計算されたＷＬＡＮ端末１０の位置情報をクライアント４０に送信する（Ｓ３２）。ここで、段階Ｓ３１のＳＵＰＬ手順は、既存のＳＵＰＬ手順でもよく、ＳＬＰモードインジケータの使用を含む図１のＳＵＰＬ手順でもよい。また、段階Ｓ３１でのＷＬＡＮ端末１０と位置サーバ３１間の通信は、ＡＰ２１、すなわち前記設定されたトンネル（ＩＰ接続）により行われる。
【００６２】
ＷＬＡＮ端末１０が移動通信ネットワーク３０のＡＡＡサーバ３２及びＨＳＳ／ＨＬＲ３３を介しての認証及び登録手順を経てＷＬＡＮ端末１０とＡＰ（ＰＤＧ）２１間のパケットサービスのためにトンネルが形成されている状態で、移動通信ネットワーク３０に接続した位置サーバ（ＧＭＬＣ）３１がクライアント４０からＷＬＡＮ端末１０の位置情報要求を受信した場合、本発明の第１実施形態においては、位置サーバ３１とＷＬＡＮ端末１０が前記形成されたトンネルによりＳＵＰＬ手順を行うので、前記ＳＵＰＬ手順を行うための新しいＴＣＰ／ＩＰもしくはＵＤＰ／ＩＰ接続が位置サーバ３１とＷＬＡＮ端末１０間にオープンされる必要がなくなり、ＷＬＡＮ端末１０の位置情報を既存のトンネルを使用して計算できる。
【００６３】
また、（例えば、ターゲット端末ルーティング情報内に提供される）ＷＬＡＮ端末１０のＩＰアドレスにおいて、静的（永久）ＩＰアドレスをＷＬＡＮ端末１０に割り当てるか、又はＡＰ２１とのトンネルが形成される毎に動的ＩＰアドレスをＷＬＡＮ端末１０に割り当てることができる。永久ＩＰアドレスがＷＬＡＮ端末１０に割り当てられると、前記割り当てられた永久ＩＰアドレスはＨＳＳ／ＨＬＲ３３に保存され、動的ＩＰアドレスは変更される毎にＡＡＡサーバ３２に保存される。従って、永久ＩＰアドレスがＷＬＡＮ端末１０に割り当てられた場合、段階Ｓ２７で位置サーバ３１がサービングノードルーティング情報を要求すると、ＨＳＳ／ＨＬＲ３３は、前記保存されたＷＬＡＮ端末１０のＩＰアドレスを送信することにより、段階Ｓ２８でＷＬＡＮ端末１０のＩＰアドレスを直接位置サーバ３１に送信できる。この場合、段階Ｓ２９及びＳ３０は省略でき、位置サーバ３１は、前記サービングノードルーティング情報に含まれるＷＬＡＮ端末１０のＩＰアドレスを利用して直ちにＳＵＰＬ手順を行うことができる。別の方法として、段階Ｓ２９及びＳ３０は、トンネルが設定されたか否かを示すトンネル情報などの特定情報のみを得るために行うことができる。しかし、この情報は以前の段階で提供されるので、ＷＬＡＮ端末１０の永久ＩＰアドレスが含まれる場合、段階Ｓ２９及びＳ３０は完全に省略される。
【００６４】
それに対し、ＷＬＡＮ端末１０の動的ＩＰアドレスが含まれる場合、前述のように段階Ｓ２９及びＳ３０を行う。これはＷＬＡＮ端末１０のＩＰアドレスがＷＬＡＮ端末１０とＰＤＧ２１間にトンネルが設定される毎に変更されるためである。すなわち、動的ＩＰアドレスがＷＬＡＮ端末１０に割り当てられた場合、位置サーバ３１は、段階Ｓ２９及びＳ３０に示すように、ＡＡＡサーバ３２によりＷＬＡＮ端末１０のＩＰアドレスを知ることができる。
【００６５】
ＳＵＰＬ  ＰＯＳ  ＩＮＩＴメッセージは、位置サーバ３１から送信されたＳＵＰＬ  ＩＮＩＴメッセージに対する応答メッセージである。ＳＵＰＬ  ＩＮＩＴメッセージ、ＳＵＰＬ  ＰＯＳ  ＩＮＩＴメッセージ、及び他の関連ＳＵＰＬ手順メッセージはよく知られている。
【００６６】
従って、本発明は、ＷＬＡＮと移動通信ネットワーク間の連動により端末に位置情報サービスを提供する効果的なシステム及び方法を提供する。
【００６７】
図４は本発明の第２実施形態によるＷＬＡＮと移動通信ネットワーク間の連動により位置情報サービスを提供する方法を示すフローチャートである。以下、図４の方法は、一例として図２のシステムで実現されると記述しているが、他の適切な装置／システムでも実現できる。ＷＬＡＮ端末１０が行う過程は、ＷＬＡＮ端末１０のコントローラ１０ａにより実行及び／又は制御できる。
【００６８】
図４に示すように、ＷＬＡＮ端末１０が認証及び登録手順により移動通信ネットワーク３０に接続する過程（Ｓ４１〜Ｓ４３）は、それぞれ図３の段階Ｓ２１〜Ｓ２３と同一又は類似する。従って、説明を簡単にするために段階Ｓ４１〜Ｓ４３に関する説明は省略する。
【００６９】
クライアント４０は、ターゲット端末（例えば、ＷＬＡＮ端末１０）の位置情報を要求するための位置情報サービス要求を生成すると、位置サーバ（ＧＭＬＣ）３１に位置サービス（ＬＣＳ）要求を送信することにより、位置サーバ３１に前記ターゲット端末の位置サービス（ＬＣＳ）を要求する（Ｓ４４）。
【００７０】
前記ターゲット端末が属するサービングノードに関する情報を取得するために、位置サーバ３１は、サービングノードルーティング情報（例えば、ＡＡＡサーバ３２のアドレス情報）及び前記ターゲット端末の能力をＨＳＳ／ＨＬＲ３３に要求する（Ｓ４５）。この場合、前記ターゲット端末の能力情報とは、前記ターゲット端末がＳＵＰＬをサポートするか否か、及び／又は前記ターゲット端末が既存の移動通信に定義された位置追跡手順をサポートするか否かなどの位置追跡に関するターゲット端末の能力情報を意味する。位置サーバ３１は、ＨＳＳ／ＨＬＲ３３に接続する前にＰＰＲ３４に接続して、ＷＬＡＮ端末１０などのターゲット端末の予め登録された位置追跡サービス情報及びプライバシー情報を確認することができる。この場合、ＷＬＡＮ端末１０は、前記位置追跡サービスに関するＷＬＡＮ端末１０のプライバシー情報をＰＰＲ３４に予め登録することができ、ＰＰＲ３４が前記プライバシー情報を確認した後にクライアント４０が要求した前記位置追跡サービスを許可すると、位置サーバ３１は段階Ｓ４５を行うことができる。
【００７１】
段階Ｓ４５での要求に対する応答として、ＨＳＳ／ＨＬＲ３３は、ＷＬＡＮ端末１０のサービングノードルーティング情報（例えば、ＡＡＡサーバ３２のアドレスなど）及びＷＬＡＮ端末１０の能力を、サービングノードルーティング情報確認メッセージにより位置サーバ３１に伝達する（Ｓ４６）。
【００７２】
前記ＷＬＡＮ端末が（例えば、前記受信したターゲット端末の能力情報に基づいて）ＳＵＰＬをサポートする場合、位置サーバ３１は、ＨＳＳ／ＨＬＲ３３から受信したＡＡＡサーバ３２のアドレスを利用してＡＡＡサーバ３２に接続し、ＡＡＡサーバ３２にＷＬＡＮ端末１０のルーティング情報を要求する（Ｓ４７）。ＷＬＡＮ端末１０のルーティング情報は、少なくとも（ｉ）ＷＬＡＮ端末１０のアドレス（例えば、ＩＰアドレス）、及び（ｉｉ）ＷＬＡＮ端末１０とトンネルが設定されたアクセスポイント（例えば、ＰＤＧ）２１に関する情報（トンネル情報）を含む。前述のように、前記トンネル情報（ｉｉ）は、ＷＬＡＮ端末１０とＰＤＧ２１間にトンネルが設定されたか否かを示す。別の方法として、ＷＬＡＮ端末１０のルーティング情報は、少なくとも（ｉ）ＷＬＡＮ端末１０のＩＰアドレス、（ｉｉ）ＷＬＡＮ端末１０とトンネルが設定されたアクセスポイント（ＰＤＧ）２１に関する情報（トンネル情報）、及び（ｉｉｉ）ＷＬＡＮ端末１０の現在設定されているＷ−ＡＰＮに関する情報を含む。前記Ｗ−ＡＰＮ情報（ｉｉｉ）は、ＡＰ（ＰＤＧ）２１を介してＷＬＡＮ端末１０に接続した外部ＩＰネットワークのＩＤを示すＷ−ＡＰＮネットワーク識別子（ＮＩ）、及びＷＬＡＮ端末１０が接続した移動通信ネットワーク３０のＩＤを示すＷ−ＡＰＮオペレータ識別子（ＯＩ）を含み、この情報は必要時に利用できる。
【００７３】
段階Ｓ４７での要求に対する応答として、ＡＡＡサーバ３２は、ターゲット端末ルーティング情報照会応答メッセージ（ｔａｒｇｅｔ  ｔｅｒｍｉｎａｌ  ｒｏｕｔｉｎｇ  ｉｎｆｏｒｍａｔｉｏｎ  ｉｎｑｕｉｒｙ  ｒｅｓｐｏｎｓｅ  ｍｅｓｓａｇｅ）を位置サーバ３１に送信する（Ｓ４８）。前記端末ルーティング情報照会応答メッセージは、前記ターゲット端末（ＷＬＡＮ端末１０）のルーティング情報などの前記要求された情報を含む。
【００７４】
位置サーバ３１は前記端末ルーティング情報照会応答メッセージを受信する。位置サーバ３１が現在設定されているＩＰ接続がないと判断すると、すなわち前記受信したターゲット端末ルーティング情報に基づいて、ＷＬＡＮ端末１０とＰＤＧ２１間にトンネル接続がないと判断すると、位置サーバ３１は、ＳＵＰＬ初期化（ＳＵＰＬ  ＩＮＩＴ）メッセージを生成した後、ＳＭＳ方式又はＷＡＰプッシュ方式で、前記ＳＵＰＬ初期化メッセージをＷＬＡＮ端末１０に送信することにより、データ接続設定を指示する（Ｓ４９）。変形例として、位置サーバ３１は、ＴＣＰ／ＩＰもしくはＵＤＰ／ＩＰ接続により前記ＳＵＰＬ初期化メッセージをＷＬＡＮ端末１０に送信することもできる。
【００７５】
ＷＬＡＮ端末１０は、移動通信パケットサービスを受信するためのデータ接続を設定するために、ＤＮＳクエリーによりＡＰ２１のアクセス情報（例えば、ＩＰアドレスなど）を取得する（Ｓ５０）。ＷＬＡＮ端末１０は、前記ＤＮＳクエリーにより取得したＡＰのアクセス情報から１つを選択し、前記選択したＡＰとのデータ接続（トンネル）を設定する（Ｓ５１）。前記ＡＰの選択時、ＷＬＡＮ端末１０は、ＷＬＡＮ端末１０のＩＰアドレスと類似したタイプのアドレスを有するＡＰを選択する。
【００７６】
ＷＬＡＮ端末１０とＡＰ（ＰＤＧ）２１間にＩＰ接続（例えば、ＴＣＰ／ＩＰもしくはＵＤＰ／ＩＰ接続）などのトンネルが設定された後、ＷＬＡＮ端末１０は、前記ＳＵＰＬ  ＩＮＩＴメッセージに対する応答として、前記設定されたトンネル、すなわちセッションで実際の位置追跡手順を開始するためのＳＵＰＬ位置初期化（ＳＵＰＬ  ＰＯＳ  ＩＮＩＴ）メッセージを位置サーバ３１に送信する。この場合、ＷＬＡＮ端末１０は、前記ＳＵＰＬ  ＰＯＳ  ＩＮＩＴメッセージと共に、又は前記ＳＵＰＬ  ＰＯＳ  ＩＮＩＴメッセージ内に含めて、ＷＬＡＮ端末１０のＩＰアドレスを送信できる。その後、前記セッションでＷＬＡＮ端末１０の位置を追跡するためのＳＵＰＬ手順が継続して行われる（Ｓ５２）。ＷＬＡＮ端末１０の位置情報が（例えば、位置サーバ３１又はＷＬＡＮ端末１０により）計算されると、位置サーバ３１は、前記計算された位置情報を取得し、前記ＳＵＰＬ手順を終了し、例えばＬＣＳ応答により、前記取得したＷＬＡＮ端末１０の計算された位置情報をクライアント４０に送信する（Ｓ５３）。
【００７７】
ＷＬＡＮ端末１０のＩＰアドレスにおいて、静的（永久）ＩＰアドレスをＷＬＡＮ端末１０に割り当てるか、又はＡＰ２１とのトンネルが形成される毎に動的ＩＰアドレスをＷＬＡＮ端末１０に割り当てることができる。永久ＩＰアドレスがＷＬＡＮ端末１０に割り当てられると、前記割り当てられた永久ＩＰアドレスはＨＳＳ／ＨＬＲ３３に保存され、動的ＩＰアドレスは変更される毎にＡＡＡサーバ３２に保存される。
【００７８】
ＷＬＡＮ端末１０が移動通信ネットワーク３０のＡＡＡサーバ３２及びＨＳＳ／ＨＬＲ３３を介しての認証及び登録手順を終了し、ＷＬＡＮ端末１０とＡＰ２１間にパケットサービスのためのトンネル（例えば、ＴＣＰ／ＩＰもしくはＵＤＰ／ＩＰ接続）が形成されていない状態で、移動通信ネットワーク３０に接続した位置サーバ３１がクライアントからＷＬＡＮ端末１０の位置情報要求を受信した場合、本発明の第２実施形態においては、ＡＡＡサーバ３２は、例えば前記ターゲット端末ルーティング情報を検討した後、ＷＬＡＮ端末１０とＡＰ２１間にトンネルが設定されていないことを位置サーバ３１に通知する。位置サーバ３１は、ＷＬＡＮ端末１０にＳＵＰＬ初期化メッセージを送信することにより、ＷＬＡＮ端末１０にＡＰ２１とのデータ接続を設定することを指示する。ＷＬＡＮ端末１０は、ＡＰ２１とのデータ接続（トンネル）を設定した後、前記設定されたデータ接続、すなわちセッションで位置サーバ３１にＳＵＰＬ  ＰＯＳ  ＩＮＩＴメッセージを送信する。従って、移動通信ネットワーク３０の位置サーバ３１はＷＬＡＮ端末１０の位置情報を計算又は取得できる。
【００７９】
図５は本発明の第３実施形態によるＷＬＡＮと移動通信ネットワーク間の連動により位置情報サービスを提供する方法を示すフローチャートである。図５の方法は、一例として図２のシステムで実現されると記述しているが、他の適切な装置／システムでも実現できる。ＷＬＡＮ端末１０が行う過程は、ＷＬＡＮ端末１０のコントローラ１０ａにより実行及び／又は制御できる。
【００８０】
図５に示すように、ＷＬＡＮ端末１０は現在接続可能な適切なＷＬＡＮ  ＡＮ１１を選択して接続を試みる。ＷＬＡＮ端末１０がＷＬＡＮ  ＡＮ１１に接続すると（Ｓ６１）、ＷＬＡＮ  ＡＮ１１はＷＬＡＮ端末１０と認証手順を行う（Ｓ６２及びＳ６３）。例えば、ＷＬＡＮ  ＡＮ１１は、ＥＡＰ要求メッセージをＷＬＡＮ端末１０に送信し（Ｓ６２）、ＷＬＡＮ端末１０は、ＥＡＰ応答メッセージによりＷＬＡＮ端末に応答する（Ｓ６３）。他のタイプの認証プロトコルも使用可能である。
【００８１】
ＷＬＡＮ  ＡＮ１１とＷＬＡＮ端末１０とは端末位置関連情報を交換する。段階Ｓ６２でＷＬＡＮ  ＡＮ１１がＷＬＡＮ端末１０に前記ＥＡＰ要求メッセージにより前記端末位置関連情報を提供するとき、前記端末位置関連情報はＷＬＡＮ端末１０が現在アクセスしているＷＬＡＮ  ＡＰの位置情報を含む。これに対する応答として、ＷＬＡＮ端末１０がＷＬＡＮ端末１０の位置情報を判断するために使用することのできるＧＰＳ受信機を含んでいると、段階Ｓ６３でＷＬＡＮ端末１０がＷＬＡＮ  ＡＮ１１に前記ＥＡＰ応答メッセージにより前記端末位置関連情報を提供するとき、前記端末位置関連情報はＷＬＡＮ端末１０の位置情報を含む。従って、ＷＬＡＮ端末１０とＷＬＡＮ  ＡＮ１１はそれぞれ関連ＷＬＡＮ  ＡＰ及びＷＬＡＮ端末１０の位置情報を取得する。
【００８２】
ここで、前記ＡＰ位置情報又はＷＬＡＮ端末位置情報は、ＩＥＴＦ  ＧＥＯＰＲＩＶプロトコルに定義された民間アドレスフォーム（ｃｉｖｉｌ  ａｄｄｒｅｓｓ  ｆｏｒｍ）、又は座標情報（ｘ，ｙ，ｚ）を有する。図６はＩＥＴＦに定義された民間アドレスフォームを例示している。
【００８３】
ＷＬＡＮ  ＡＮ１１はＡＡＡサーバ３２との通信により前記ＷＬＡＮ端末の認証手順を行う。すなわち、ＷＬＡＮ  ＡＮ１１はＷＬＡＮ端末１０から受信したＥＡＰ応答メッセージをＡＡＡサーバ３２に送信する（Ｓ６４）。ＷＬＡＮ端末１０がローミング中の場合、前記ＥＡＰ応答メッセージはＡＡＡプロキシサーバ（図示せず）を介してＡＡＡサーバ３２に送信される。ここで、ＷＬＡＮ  ＡＮ１１は、前記端末位置関連情報、すなわちＷＬＡＮ端末１０が属するＡＰの位置情報、及び／又はＷＬＡＮ端末１０から直接受信したＷＬＡＮ端末１０の位置情報を、前記ＥＡＰ応答メッセージと共にＡＡＡサーバ３２に提供する。
【００８４】
ＷＬＡＮ  ＡＮ１１とＷＬＡＮ端末１０間の相互認証手順を行うために、ＡＡＡサーバ３２は、ＨＳＳ／ＨＬＲ３３に接続して、ＨＳＳ／ＨＬＲ３３から認証情報をフェッチすることができる。前記認証情報は、ＷＬＡＮ端末１０を認証するためにＡＡＡサーバ３２が予め登録した認証ベクトルでもよく、さらに、前記認証ベクトルはキー情報を含むことができる。また、ＡＡＡサーバ３２は、ＨＳＳ／ＨＬＲ３３に接続し、ＷＬＡＮ端末１０の加入情報を要求して受信することもできる（Ｓ６５）。前記加入情報は、許可情報、ＷＬＡＮ端末１０の永久ＩＤ（例えば、ＩＭＳＩ）、端末の能力でもよい。
【００８５】
ＡＡＡサーバ３２は、ＨＳＳ／ＨＬＲ３３との連動により、ＷＬＡＮ端末１０の情報、例えばＷＬＡＮ端末１０の永久ＩＤ（例えば、ＩＭＳＩ）を登録する。この場合、ＡＡＡサーバ３２は、ＷＬＡＮ端末１０の認証手順を行ったＡＡＡサーバ３２のアドレスをも登録する。さらに、ＡＡＡサーバ３２は、前記端末位置関連情報（例えば、ＷＬＡＮ  ＡＮ１１から受信したＷＬＡＮ端末１０の位置情報、及び／又はＷＬＡＮ端末１０が属するＷＬＡＮ  ＡＰの位置情報）をＨＳＳ／ＨＬＲ３３に登録する（Ｓ６６）。その結果、ＨＳＳ／ＨＬＲ３３は、前記ＷＬＡＮ端末に関するいくつかの位置情報である前記端末位置関連情報（例えば、ＷＬＡＮ端末１０の実際の位置情報、及び／又はＷＬＡＮ端末１０が属するＷＬＡＮ  ＡＰの位置情報）を保存する。
【００８６】
前記認証／登録手順が成功裏に完了すると（Ｓ６７）、ＡＡＡサーバ３２は、Ｉ−ＷＬＡＮ  ＡＮ１１を介して前記完了をＷＬＡＮ端末１０に通知する（Ｓ６８、Ｓ６９）。
【００８７】
ＷＬＡＮ端末１０は、前記ＡＰを介して移動通信パケットサービスを受信するために、ＤＮＳクエリーにより前記ＡＰのアクセス情報（ＩＰアドレスなど）を取得する（Ｓ７０）。ＷＬＡＮ端末１０は、前記ＤＮＳクエリーにより取得したＡＰのアクセス情報から１つを選択し、前記選択したＡＰ（ＰＤＧ）２１とパケットサービスをサポートするためのＩＰ接続（例えば、ＴＣＰ／ＩＰもしくはＵＤＰ／ＩＰ接続）などのトンネルを形成する（Ｓ７１）。前記ＡＰの選択時、ＷＬＡＮ端末１０は、ＷＬＡＮ端末１０のＩＰアドレスと類似したタイプのアドレス（例えば、ＩＰｖ４又はＩＰｖ６）を有するＡＰを選択する。
【００８８】
その後、クライアント４０は、ターゲット端末（例えば、ＷＬＡＮ端末１０）の位置情報を要求するための位置情報サービス要求を生成すると、位置サーバ（ＧＭＬＣ）３１にＬＣＳ要求を送信することにより、位置サーバ３１に前記ターゲット端末の位置情報追跡を要求する（Ｓ７２）。ここで、前記ターゲット端末の位置情報要求はＱｏＰ要求／情報を含む。
【００８９】
前記ターゲット端末（ＷＬＡＮ端末１０）が属するサービングノードに関する情報（例えば、アドレス）、及び前記ターゲット端末の能力に関する情報を取得するために、位置サーバ３１は、サービングノードルーティング情報照会をＨＳＳ／ＨＬＲ３３に送信する（Ｓ７３）。この場合、前記ターゲット端末の能力情報とは、前記ターゲット端末がＳＵＰＬをサポートするか否か、及び／又は前記ターゲット端末が既存の移動通信ネットワークに定義された位置追跡手順をサポートするか否かなどの位置追跡に関するターゲット端末の能力情報を意味する。位置サーバ３１は、ＨＳＳ／ＨＬＲ３３に接続する前にＰＰＲ３４に接続して、ＷＬＡＮ端末１０などのターゲット端末の予め登録された位置追跡サービス情報及びプライバシー情報を確認することができる。この場合、ＷＬＡＮ端末１０は、前記位置追跡サービスに関するＷＬＡＮ端末１０のプライバシー情報をＰＰＲ３４に予め登録することができ、ＰＰＲ３４が前記プライバシー情報を確認した後にクライアント４０が要求した前記位置追跡サービスを許可すると、位置サーバ３１は段階Ｓ７３を行うことができる。前記ターゲット端末、すなわちＷＬＡＮ端末１０のユーザは、ユーザの位置追跡サービス関連プライバシー情報を予め登録することができる。この場合、ユーザが該当クライアント４０の要求した位置追跡サービスを許可すると、位置サーバ３１は段階Ｓ７３を行うことができる。
【００９０】
段階Ｓ７３での要求に対する応答として、ＨＳＳ／ＨＬＲ３３は、ＷＬＡＮ端末１０に関するサービングノードルーティング情報（例えば、ＡＡＡサーバ３２のアドレス）及びＷＬＡＮ端末１０の能力情報を、サービングノードルーティング情報応答メッセージにより位置サーバ３１に伝達する（Ｓ７４）。ここで、ＨＳＳ／ＨＬＲ３３は、前記サービングノードルーティング情報応答メッセージにより、ＷＬＡＮ  ＡＮ１１から受信した（そして、段階Ｓ６６で保存された）端末位置関連情報をも提供する（Ｓ７４）。ここで、前記端末位置関連情報は、ＷＬＡＮ端末１０が属するＷＬＡＮ  ＡＰの位置情報、及び／又はＷＬＡＮ端末１０の位置情報を含む。前記端末位置関連情報が前記サービングノードルーティング情報応答メッセージに含まれ、前記含まれる端末位置関連情報が段階Ｓ７２でクライアント４０から受信した位置追跡（ＬＣＳ）要求に含まれるＱｏＰを満たす場合、位置サーバ３１は、段階Ｓ７５〜Ｓ７７を行うことなく、前記受信した端末位置関連情報に基づいてＷＬＡＮ端末１０の位置情報をクライアント４０に提供する（Ｓ７８）。
【００９１】
すなわち、位置サーバ３１は、ＨＳＳ／ＨＬＲ３３から受信したサービングノードルーティング情報応答メッセージを分析する。前記サービングノードルーティング情報応答メッセージが前記端末位置関連情報を含んでいないか、又は前記含まれる端末位置関連情報が前記ＬＣＳ要求に含まれるＱｏＰ情報を満たさない場合、段階Ｓ７４から段階Ｓ７５に進み、後続のＳＵＰＬ手順を行う。しかし、ＨＳＳ／ＨＬＲ３３からの端末位置関連情報（例えば、ＷＬＡＮ端末１０又はＷＬＡＮ  ＡＰの位置情報）がＱｏＰを満たす場合（すなわち、前記位置情報が十分な品質を有する場合）、位置サーバ３１は、ＷＬＡＮ端末１０の位置情報を計算する代わりに、単に段階Ｓ７８で前記ターゲット端末の位置情報として前記取得した端末位置関連情報をクライアント４０に送信する。この場合、前記方法は、前記ＳＵＰＬ手順により前記ターゲット端末の位置を実際に計算する段階Ｓ７５〜Ｓ７７を省略する。
【００９２】
さらに、位置サーバ３１がＡＡＡサーバ３２に記録されたターゲット端末（ＷＬＡＮ端末１０）のルーティング情報を直接受信するためにＡＡＡサーバ３２に接続しようとする場合、段階Ｓ７４から段階Ｓ７５に進む。
【００９３】
段階Ｓ７５において、位置サーバ３１は、前記ターゲット端末のルーティング情報を要求するためのターゲット端末ルーティング情報照会メッセージをＡＡＡサーバ３２に送信する。その後、位置サーバ３１は、ＷＬＡＮ端末１０と直接前記ＳＵＰＬ手順を行うために、段階Ｓ７６でＷＬＡＮ端末１０のルーティング情報を取得できる。さらに、段階Ｓ７４でＨＳＳ／ＨＬＲ３３から受信したサービングノードルーティング情報応答メッセージが前記端末位置関連情報を含まない場合、位置サーバ３１は、段階Ｓ７５で前記ターゲット端末ルーティング情報照会メッセージにより、ＡＡＡサーバ３２に前記端末位置関連情報を要求できる。
【００９４】
前記ターゲット端末ルーティング情報照会メッセージを受信すると、ＡＡＡサーバ３２は、前記ターゲット端末ルーティング情報照会応答メッセージにより、位置サーバ３１に前記ターゲット端末（ＷＬＡＮ端末１０）のルーティング情報を送信する。ここで、ＷＬＡＮ端末１０のルーティング情報は、少なくとも（ｉ）ＷＬＡＮ端末１０のアドレス（例えば、ＩＰアドレス）、及び（ｉｉ）例えば段階Ｓ７１でＷＬＡＮ端末１０とトンネルが設定されたアクセスポイント（ＰＤＧ）２１に関する情報（トンネル情報）を含む。前述のように、前記トンネル情報（ｉｉ）は、ＷＬＡＮ端末１０とＰＤＧ２１間にトンネルが設定されたか否かを示す。別の方法として、ＷＬＡＮ端末１０のルーティング情報は、少なくとも（ｉ）ＷＬＡＮ端末１０のＩＰアドレス、（ｉｉ）ＷＬＡＮ端末１０とトンネルが設定されたアクセスポイント（ＰＤＧ）２１に関する情報（トンネル情報）、及び（ｉｉｉ）ＷＬＡＮ端末１０の現在設定されているＷ−ＡＰＮに関する情報を含む。前記Ｗ−ＡＰＮ情報（ｉｉｉ）は、ＡＰ（ＰＤＧ）２１を介してＷＬＡＮ端末１０に接続した外部ＩＰネットワークのＩＤを示すＷ−ＡＰＮネットワーク識別子（ＮＩ）、及びＷＬＡＮ端末１０が接続した移動通信ネットワーク３０のＩＤを示すＷ−ＡＰＮオペレータ識別子（ＯＩ）を含み、この情報は必要時に利用できる。
【００９５】
位置サーバ３１が段階Ｓ７５でＡＡＡサーバ３２に前記端末位置関連情報を要求すると（例えば、段階Ｓ７４で受信していないため）、ＡＡＡサーバ３２は段階Ｓ７６で、前記端末位置関連情報を、もしあれば、前記ターゲット端末ルーティング情報と共に位置サーバ３１に提供する。ここで、前記端末位置関連情報がＡＡＡサーバ３２から受信され、クライアント４０又は他のエンティティから受信したＱｏＰ情報を満たすと判断されると、位置サーバ３１は、段階Ｓ７７を行うことなく、位置情報サービス応答メッセージにより、ＷＬＡＮ端末１０の位置情報として前記受信した端末位置関連情報（例えば、ＷＬＡＮ端末１０位置情報、又はＷＬＡＮ端末１０が属するＷＬＡＮ  ＡＰの位置情報）をクライアント４０に直接送信する（Ｓ７８）。しかし、前記要求した端末位置関連情報をＡＡＡサーバ３２から受信していない場合、ＡＡＡサーバ３２から受信した端末位置関連情報がＱｏＰを満たさない場合、又は位置サーバ３１がＷＬＡＮ端末１０とのＳＵＰＬ手順を利用して前記位置追跡手順を直接行おうとする場合、位置サーバ３１は、ＡＡＡサーバ３２から受信したターゲット端末ルーティング情報照会応答メッセージに含まれるＷＬＡＮ端末１０のＩＰアドレスを利用して前記ＳＵＰＬ手順を開始する。位置サーバ３１が前記ターゲット端末ルーティング情報照会応答メッセージに含まれるＡＰ情報（トンネル情報）を検討して、ＷＬＡＮ端末１０とＡＰ２１間に既にトンネルが形成されたと判断すると、位置サーバ３１は、ＴＣＰ／ＩＰもしくはＵＤＰ／ＩＰ接続のような前記設定されたトンネルにより前記ＳＵＰＬ手順を開始するためのＳＵＰＬ初期化（ＳＵＰＬ  ＩＮＩＴ）メッセージを送信する（Ｓ７７）。ここで、段階Ｓ７７のＳＵＰＬ手順は、既存のＳＵＰＬ手順でもよく、ＳＬＰモードインジケータの使用を含む図１のＳＵＰＬ手順でもよい。前記ＳＵＰＬ手順が前記トンネルにより継続して行われることによってＷＬＡＮ端末１０の位置情報が計算される。別の方法として、段階Ｓ７７でＷＬＡＮ端末１０は、段階Ｓ６２及びＳ６３でＷＬＡＮ  ＡＮ１１と前記認証手順を行うときに提供された前記端末位置関連情報を、別途の位置計算手順を行うことなく、位置サーバ３１に直接送信することもできる。
【００９６】
ＷＬＡＮ端末１０の位置情報が、例えば段階Ｓ７７で位置サーバ３１又はＷＬＡＮ端末１０により計算されると、位置サーバ３１は、前記計算されたＷＬＡＮ端末１０の位置情報（ｐｏｓｒｅｓｕｌｔ）を取得し、前記ＳＵＰＬ手順を終了し、前記計算されたＷＬＡＮ端末１０の位置情報をクライアント４０に提供する（Ｓ７８）。前述した変形例のように、前記端末位置関連情報がＷＬＡＮ端末１０から提供され、前記提供された端末位置関連情報がＱｏＰを満たす場合、位置サーバ３１は、（例えば、別途に前記ターゲット端末の位置を計算することなく）前記ターゲット端末の位置情報として前記受信した端末位置関連情報をクライアント４０に提供できる。
【００９７】
ＷＬＡＮ端末１０は、ＷＬＡＮ  ＡＮ１１に接続した場合、ＷＬＡＮ端末１０が属するＷＬＡＮ  ＡＰの位置情報をＷＬＡＮ  ＡＮ１１から受信するか、又はＷＬＡＮ端末１０の位置情報をＧＰＳ受信機を利用してＷＬＡＮ  ＡＮ１１に提供することができる。前述のようにＷＬＡＮ端末１０がＡＡＡサーバ３２及びＨＳＳ／ＨＬＲ３３を介して前記認証及び登録を行うと、ＷＬＡＮ端末１０が属するＷＬＡＮ  ＡＰの位置情報又はＷＬＡＮ端末１０の位置情報は、ＡＡＡサーバ３２に保存された後、さらにＨＳＳ／ＨＬＲ３３に保存される。ＷＬＡＮ端末１０とＡＰ２１間にパケットサービスのためのトンネルが形成された状態で、移動通信ネットワーク３０に接続した位置サーバ３１がクライアント４０からＷＬＡＮ端末１０の位置情報要求を受信した場合、本発明の第３実施形態においては、ＨＳＳ／ＨＬＲ３３又はＡＡＡサーバ３２から受信した端末位置関連情報が特定ＱｏＰを満たすと、位置サーバ３１は、実際に位置情報を計算するための前記ＳＵＰＬ手順を行うことなく、直ちに前記端末位置関連情報をクライアント４０に提供する。それに対し、前記端末位置関連情報が前記ＱｏＰを満たさないと、位置サーバ３１は、ＷＬＡＮ端末１０とＡＰ間に既に形成されたトンネルによりＷＬＡＮ端末１０と前記ＳＵＰＬ手順を行う。
【００９８】
また、ＷＬＡＮ端末１０のＩＰアドレスにおいて、静的（永久）ＩＰアドレスをＷＬＡＮ端末１０に割り当てるか、又はＡＰ２１とのトンネルが形成される毎に動的ＩＰアドレスをＷＬＡＮ端末１０に割り当てることができる。永久ＩＰアドレスがＷＬＡＮ端末１０に割り当てられると、前記割り当てられた永久ＩＰアドレスはＨＳＳ／ＨＬＲ３３に保存され、動的ＩＰアドレスは変更される毎にＡＡＡサーバ３２に保存される。従って、永久ＩＰアドレスがＷＬＡＮ端末１０に割り当てられた場合、段階Ｓ７３で位置サーバ３１がサービングノードルーティング情報を要求すると、ＨＳＳ／ＨＬＲ３３は、前記保存されたＷＬＡＮ端末１０のＩＰアドレスを送信することにより、段階Ｓ７４でＷＬＡＮ端末１０のＩＰアドレスを直接位置サーバ３１に送信できる。この場合、段階Ｓ７５及びＳ７６は省略でき、位置サーバ３１は、前記サービングノードルーティング情報に含まれるＷＬＡＮ端末１０のＩＰアドレスを利用して直ちにＳＵＰＬ手順を行うことができる。別の方法として、段階Ｓ７５及びＳ７６は、トンネルが設定されたか否かを示すトンネル情報などの特定情報のみを得るために行うことができる。しかし、この情報は以前の段階で提供されるので、ＷＬＡＮ端末１０の永久ＩＰアドレスが含まれる場合、段階Ｓ７５及びＳ７６は完全に省略される。
【００９９】
それに対し、ＷＬＡＮ端末１０の動的ＩＰアドレスが含まれる場合、前述のように段階Ｓ７５及びＳ７６を行う。これはＷＬＡＮ端末１０のＩＰアドレスが一般にＷＬＡＮ端末１０とＰＤＧ２１間にトンネルが設定される毎に変更されるためである。すなわち、動的ＩＰアドレスがＷＬＡＮ端末１０に割り当てられた場合、位置サーバ３１は、段階Ｓ７５及びＳ７６に示すように、ＡＡＡサーバ３２によりＷＬＡＮ端末１０のＩＰアドレスを知ることができる。
【０１００】
図７は本発明の第４実施形態によるＷＬＡＮと移動通信ネットワーク間の連動により位置情報サービスを提供する方法を示すフローチャートである。図７の方法は、一例として図２のシステムで実現されると記述しているが、他の適切な装置／システムでも実現できる。ＷＬＡＮ端末１０が行う過程は、ＷＬＡＮ端末１０のコントローラ１０ａにより実行及び／又は制御できる。
【０１０１】
図７に示すように、ＷＬＡＮ端末１０がＡＡＡサーバ３２及びＨＳＳ／ＨＬＲ３３を介しての認証及び登録手順を経た後に移動通信ネットワーク３０に接続する過程、並びにＷＬＡＮ端末１０が認証又は登録されると、ＷＬＡＮ端末１０自身が（例えば内部ＧＰＳ受信機を利用して）ＷＬＡＮ端末１０の位置情報を提供するか、又はＷＬＡＮ  ＡＮ１１がＷＬＡＮ端末１０の属するＷＬＡＮ  ＡＰの位置情報を提供する過程（Ｓ８１〜Ｓ８９）を、図５の段階Ｓ６１〜Ｓ６９と同一又は類似の方式で行う。従って、説明を簡単にするために段階Ｓ８１〜Ｓ８９に関する説明は省略する。
【０１０２】
また、ＷＬＡＮ端末１０が前記認証及び登録手順により移動通信ネットワーク３０に接続した後、ターゲット端末の位置情報追跡要求がクライアント４０から位置サーバ３１に送信されると（Ｓ９０）、位置サーバ３１がＨＳＳ／ＨＬＲ３３に接続して、前記ターゲット端末に関するサービングノードルーティング情報及び前記ターゲット端末の能力情報を受信する過程（Ｓ９０〜Ｓ９２）も、図５の段階Ｓ７２、Ｓ７３、及びＳ７４と同一又は類似の方式で行う。従って、説明を簡単にするために段階Ｓ９０〜Ｓ９２に関する説明は省略する。
【０１０３】
さらに説明すると、段階Ｓ９２でＨＳＳ／ＨＬＲ３３から受信した端末位置関連情報がクライアント４０から受信したＬＣＳに含まれるＱｏＰを満たす場合、位置サーバ３１は、直ちにクライアント４０に前記ターゲット端末（ＷＬＡＮ端末１０）の位置情報として前記端末位置関連情報を提供するので（Ｓ９９）、段階Ｓ９３〜Ｓ９８は省略できる。
【０１０４】
しかし、段階Ｓ９２の後、前記端末位置関連情報がＨＳＳ／ＨＬＲ３３から提供されていない場合、又は前記提供された端末位置関連情報がＱｏＰを満たさない場合、位置サーバ３１は段階Ｓ９３を行う。また、位置サーバ３１がＡＡＡサーバ３２に接続してＡＡＡサーバ３２に記録されたターゲット端末（ＷＬＡＮ端末１０）のルーティング情報を直接受信しようとする場合も、段階Ｓ９３を行う。
【０１０５】
位置サーバ３１は、前記ターゲット端末のルーティング情報を要求するためのターゲット端末ルーティング情報照会メッセージをＡＡＡサーバ３２に送信する（Ｓ９３）。
【０１０６】
位置サーバ３１は、ＷＬＡＮ端末１０と前記ＳＵＰＬ手順を直接行うために、段階Ｓ９４でＷＬＡＮ端末１０のルーティング情報を取得できる。また、段階Ｓ９２でＨＳＳ／ＨＬＲ３３から受信したサービングノードルーティング情報応答メッセージに前記端末位置関連情報が含まれていない場合、位置サーバ３１は、段階Ｓ９３で前記ターゲット端末ルーティング情報照会メッセージにより、前記端末位置関連情報をＡＡＡサーバ３２に要求できる。
【０１０７】
前記ターゲット端末ルーティング情報照会メッセージを受信したＡＡＡサーバ３２は、ターゲット端末ルーティング情報照会応答メッセージにより、前記ターゲット端末（ＷＬＡＮ端末１０）のルーティング情報を位置サーバ３１に送信する（Ｓ９４）。ここで、ＷＬＡＮ端末１０のルーティング情報は、少なくとも（ｉ）ＷＬＡＮ端末１０のアドレス（例えば、ＩＰアドレス）、及び（ｉｉ）ＷＬＡＮ端末１０とトンネルが設定されたアクセスポイント（ＰＤＧ）２１に関する情報（トンネル情報）を含む。前述のように、前記トンネル情報（ｉｉ）は、ＷＬＡＮ端末１０とＰＤＧ２１間にトンネルが設定されたか否かを示す。別の方法として、ＷＬＡＮ端末１０のルーティング情報は、少なくとも（ｉ）ＷＬＡＮ端末１０のＩＰアドレス、（ｉｉ）ＷＬＡＮ端末１０とトンネルが設定されたアクセスポイント（ＰＤＧ）２１に関する情報（トンネル情報）、及び（ｉｉｉ）ＷＬＡＮ端末１０の現在設定されているＷ−ＡＰＮに関する情報を含む。前記Ｗ−ＡＰＮ情報（ｉｉｉ）は、ＡＰ（ＰＤＧ）２１を介してＷＬＡＮ端末１０に接続した外部ＩＰネットワークのＩＤを示すＷ−ＡＰＮネットワーク識別子（ＮＩ）、及びＷＬＡＮ端末１０が接続した移動通信ネットワーク３０のＩＤを示すＷ−ＡＰＮオペレータ識別子（ＯＩ）を含み、この情報は必要時に利用できる。
【０１０８】
位置サーバ３１が段階Ｓ９３でＡＡＡサーバ３２に前記端末位置関連情報を要求すると（例えば、段階Ｓ９２で受信していないため）、ＡＡＡサーバ３２は段階Ｓ９４で、前記端末位置関連情報を前記ターゲット端末ルーティング情報と共に位置サーバ３１に提供する。ここで、前記端末位置関連情報がＡＡＡサーバ３２から受信され、ＱｏＰを満たすと判断されると、位置サーバ３１は、段階Ｓ９５〜Ｓ９８を行うことなく、位置情報サービス（ＬＣＳ）応答メッセージにより、ＷＬＡＮ端末１０の位置情報として前記端末位置関連情報をクライアント４０に直接送信する（Ｓ９９）。しかし、段階Ｓ９４で前記要求した端末位置関連情報をＡＡＡサーバ３２から受信していない場合、ＡＡＡサーバ３２から受信した端末位置関連情報がＱｏＰを満たさない場合、又は位置サーバ３１がＷＬＡＮ端末１０とのＳＵＰＬ手順を利用して前記位置追跡手順を直接行おうとする場合、位置サーバ３１は、ＳＭＳ方式又はＷＡＰプッシュ方式で、ＳＵＰＬ初期化（ＳＵＰＬ  ＩＮＩＴ）メッセージをＷＬＡＮ端末１０に送信することにより、位置サーバ３１とデータ接続（トンネル）を設定することをＷＬＡＮ端末１０に指示する（Ｓ９５）。変形例として、位置サーバ（ＧＭＬＣ）３１は、ＴＣＰ／ＩＰもしくはＵＤＰ／ＩＰ接続により前記ＳＵＰＬ初期化メッセージをＷＬＡＮ端末１０に送信することもできる。
【０１０９】
ＳＭＳ方式、ＷＡＰプッシュ方式、ＴＣＰ／ＩＰもしくはＵＤＰ／ＩＰ接続、又は他の技術により前記ＳＵＰＬ初期化メッセージを受信した後、ＷＬＡＮ端末１０は、まず、ＡＰ２１とのデータ接続を開くために、ＤＮＳクエリーによりＡＰのアクセス情報（例えば、ＩＰアドレスなど）を取得する（Ｓ９６）。ＷＬＡＮ端末１０は、前記ＤＮＳクエリーにより取得したＡＰのアクセス情報から１つを選択し、前記選択したＡＰとのデータ接続（トンネル）を形成する（Ｓ９７）。前記ＡＰの選択時、ＷＬＡＮ端末１０は、ＷＬＡＮ端末１０のＩＰアドレスと類似したタイプのアドレス（例えば、ＩＰｖ４又はＩＰｖ６）を有するＡＰを選択する。
【０１１０】
その後、ＷＬＡＮ端末１０は、ＩＰ接続（例えば、ＴＣＰ／ＩＰもしくはＵＤＰ／ＩＰ接続）などの前記形成されたトンネルにより、すなわちセッションにより、実際の位置追跡手順を開始するためのＳＵＰＬ位置初期化（ＳＵＰＬ  ＰＯＳ  ＩＮＩＴ）メッセージを位置サーバ３１に送信する（Ｓ９８）。この場合、ＷＬＡＮ端末１０は、前記ＳＵＰＬ  ＰＯＳ  ＩＮＩＴメッセージにＷＬＡＮ端末１０のＩＰアドレスを含めることができる。また、ＷＬＡＮ端末１０は、段階Ｓ８２及びＳ８３でＷＬＡＮ  ＡＮ１１から受信した端末位置関連情報を前記設定されたトンネル及び前記ＳＵＰＬ  ＰＯＳ  ＩＮＩＴメッセージにより位置サーバ３１に直接送信することができる。前記ＳＵＰＬ手順は、段階Ｓ９８でのセッションでＷＬＡＮ端末１０と位置サーバ３１間で継続して行われる。
【０１１１】
段階Ｓ９８のＳＵＰＬ手順によりＷＬＡＮ端末１０の位置情報が計算されると、位置サーバ３１は、前記計算されたＷＬＡＮ端末１０の位置情報を取得し、前記ＳＵＰＬ手順を終了する（Ｓ９８）。その後、位置サーバ３１は、前記計算されたＷＬＡＮ端末１０の位置情報（ｐｏｓｒｅｓｕｌｔ）を、例えばＬＣＳ応答によりクライアント４０に提供する（Ｓ９９）。それに対し、前記端末位置関連情報がＷＬＡＮ端末１０から提供され、前記提供された端末位置関連情報がＱｏＰを満たす場合、位置サーバ３１は、直接クライアント４０に前記ターゲット端末の位置情報として前記端末位置関連情報を提供でき、これにより前記位置計算手順を省略できる。
【０１１２】
ＷＬＡＮ端末１０は、ＷＬＡＮ  ＡＮ１１に接続した場合、ＷＬＡＮ端末１０が属するＷＬＡＮ  ＡＰの位置情報をＷＬＡＮ  ＡＮ１１から受信するか、又はＷＬＡＮ端末１０の位置情報をＧＰＳ受信機を利用してＩ−ＷＬＡＮ  ＡＮ１１に提供することができる。ＷＬＡＮ端末１０がＡＡＡサーバ３２及びＨＳＳ／ＨＬＲ３３を介して前記認証及び登録を行うと、ＷＬＡＮ端末１０が属するＷＬＡＮ  ＡＰの位置情報又はＷＬＡＮ端末１０の位置情報は、ＡＡＡサーバ３２及び／又はＨＳＳ／ＨＬＲ３３に保存される。ＷＬＡＮ端末１０とＡＰ２１間にパケットサービスのためのトンネルが形成されていない状態で、移動通信ネットワーク３０に接続した位置サーバ３１がクライアント４０からＷＬＡＮ端末１０の位置情報要求を受信した場合、本発明の第４実施形態においては、前記端末位置関連情報がＨＳＳ／ＨＬＲ３３又はＡＡＡサーバ３２から受信され、クライアント４０から受信した位置追跡要求のＱｏＰを満たすと、位置サーバ３１は、直ちに前記端末位置関連情報をクライアント４０に提供する。それに対し、前記端末位置関連情報が受信されていないか、又は前記受信した端末位置関連情報が前記ＱｏＰを満たさないと、位置サーバ３１は、ＳＭＳ方式、ＷＡＰプッシュ方式、ＴＣＰ／ＩＰもしくはＵＤＰ／ＩＰ接続などで、前記ＳＵＰＬ初期化メッセージをＷＬＡＮ端末１０に送信することにより、データ接続（トンネル）を設定することをＷＬＡＮ端末１０に指示する。前記指示によってＷＬＡＮ端末１０が（例えば、ＩＰ接続により）ＡＰ２１とのデータ接続を設定すると、位置サーバ３１は、前記設定されたデータ接続によりＷＬＡＮ端末１０と前記ＳＵＰＬ手順を行って、ＷＬＡＮ端末１０の位置情報を計算する。
【０１１３】
また、ＷＬＡＮ端末１０のＩＰアドレスにおいて、静的（永久）ＩＰアドレスをＷＬＡＮ端末１０に割り当てるか、又はＡＰ２１とのトンネルが形成される毎に動的ＩＰアドレスをＷＬＡＮ端末１０に割り当てることができる。永久ＩＰアドレスがＷＬＡＮ端末１０に割り当てられると、前記割り当てられた永久ＩＰアドレスはＨＳＳ／ＨＬＲ３３に保存され、動的ＩＰアドレスは変更される毎にＡＡＡサーバ３２に保存される。
【０１１４】
本発明の好ましい実施形態によれば、ＷＬＡＮ端末とは、ＳＵＰＬサービスなどの位置情報サービスを提供できるＵＥ又は移動端末をいう（しかし、これに限定されるものではない）。前記ＷＬＡＮ端末の例としては、ＰＴ（Ｐｕｓｈ  Ｔｏ）クライアント、携帯電話、ＵＭＴＳなどのＵＥ、ＧＳＭなどのＭＳ、ラップトップコンピュータ、ＰＤＡ（Ｐｅｒｓｏｎａｌ  Ｄｉｇｉｔａｌ  Ａｓｓｉｓｔａｎｔ）、ＷＬＡＮや他のネットワークを介して接続する様々なタイプの移動端末などがあるが、これに限定されるものではない。ＰＴクライアントは、ＰｏＣ（Ｐｕｓｈ−ｔｏ−ｔａｌｋ  Ｏｖｅｒ  Ｃｅｌｌｕｌａｒ）クライアント、ＰＴＶ（Ｐｕｓｈ  Ｔｏ  Ｖｉｅｗ）クライアント、ＰＴＤ（Ｐｕｓｈ  Ｔｏ  Ｄａｔａ）クライアントなどのＰＴＴ（Ｐｕｓｈ  Ｔｏ  Ｔａｌｋ）クライアントでもよい。
【０１１５】
本発明によれば、説明された第１〜第４実施形態には同一又は類似の段階がある。このように、本発明のいずれか１つの実施形態で説明された変形例は、必要であれば、本発明の他の実施形態に適用することもできる。
【０１１６】
本発明の方法は、既存のコンピュータプログラミング言語を用いて部分的に実現できる。このようなコンピュータプログラムは、少なくとも１つのコンピュータ又はコンピュータベースの装置（ネットワークサーバ及び／又はＷＬＡＮ端末１０など）と関連するハードドライブ、ＲＡＭ、ＲＯＭ、ＰＲＯＭなどの携帯用又は他のタイプの記憶装置又はメモリに保存することができる。また、このようなコンピュータプログラムは、ＵＳＢ、磁気ディスク、光ディスク、光磁気ディスクなどの他の記憶媒体に保存することもできる。さらに、このようなコンピュータプログラムは、インターネット、エクストラネット、イントラネット、又はその他のネットワークを介して伝播されて送信先装置（例えば、ネットワークサーバ又はＷＬＡＮ１０）に到着する信号の形態で保存及び実現することができる。前記コンピュータプログラムは、公知のコンピュータ又はコンピュータベースの装置を使用して読み出すことができる。
【０１１７】
前述した実施形態と利点は本発明を限定するものでなく、単なる例示にすぎない。本発明の教示は、他のタイプの装置及び／又はシステムにも容易に適用できる。本発明の詳細な説明は特許請求の範囲を限定するものでなく、単なる例示のためのものである。当該技術分野における通常の知識を有する者であれば多様な代案、変更、及び変形が可能であることを理解できるであろう。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図面の簡単な説明】
【０１１８】
本発明は同一の符号が同一の要素を示す下記の図を参照して詳細に説明される。
【図１】プロキシモードでローミングでない場合、特定端末の位置情報を要求するＳＵＰＬ手順を示すフローチャートである。
【図２】本発明によるＷＬＡＮと移動通信ネットワーク間の連動により位置情報サービスを提供するシステムの構成を示す概念図である。
【図３】本発明の第１実施形態によるＷＬＡＮと移動通信ネットワーク間の連動により位置情報サービスを提供する方法を示すフローチャートである。
【図４】本発明の第２実施形態によるＷＬＡＮと移動通信ネットワーク間の連動により位置情報サービスを提供する方法を示すフローチャートである。
【図５】本発明の第３実施形態によるＷＬＡＮと移動通信ネットワーク間の連動により位置情報サービスを提供する方法を示すフローチャートである。
【図６】本発明の一実施形態によるＷＬＡＮ端末又はＷＬＡＮ  ＡＰの位置情報フォーマットを示す図である。
【図７】本発明の第４実施形態によるＷＬＡＮと移動通信ネットワーク間の連動により位置情報サービスを提供する方法を示すフローチャートである。
【図１】
2009501455.tif 000003
【図２】
2009501455.tif 000004
【図３】
2009501455.tif 000005
【図４】
2009501455.tif 000006
【図５】
2009501455.tif 000007
【図６】
2009501455.tif 000008
【図７】
2009501455.tif 000009
【国際調査報告】
2009501455.tif 000010
2009501455.tif 000011